(57)【要約】  本発明は、固視標光を照射するように構成された光源（８２；８４）と、照射部により照射された走査光を反射すると共に、向きを変更することで走査光を特定方向に走査するように構成された反射面（６８Ａ）とを備える眼科装置を提供する。照射部は光源とは異なる走査光の供給源である。眼科装置は、眼科装置の使用時に被検眼（３８）が凹面鏡（７０）の焦点に置かれたときに、反射面（６８Ａ）で反射された走査光を被検眼の眼底に入射させるように配置された凹状の鏡面（７０Ａ）を備え、眼科装置の使用時に被検眼（３８）が凹面鏡（７０）の焦点に置かれて、光源（８２；８４）が固視標光を照射したときに、固視標光と走査光が、両方とも凹状の鏡面（７０Ａ）及び焦点を経由して伝搬する異なる光路を経て同時に眼底に入射するように成され、固視標光は、被検眼（３８）の視線を固定するための所定の光路を辿る。【選択図】  図５
2019536499.tif 000002
【特許請求の範囲】
【請求項１】
眼科装置であって、
固視標光を照射するように構成された光源と、
照射部により照射された走査光を反射すると共に、向きを変更することで前記走査光を特定方向に走査するように構成された反射面であり、前記照射部が前記光源とは異なる前記走査光の供給源である、反射面と、
前記眼科装置の使用時に被検眼が凹面鏡の焦点に置かれたときに、前記反射面で反射された前記走査光を前記被検眼の眼底に入射させるように配置された凹状の鏡面と
を備え、
前記眼科装置は、前記眼科装置の使用時に前記被検眼が前記凹面鏡の前記焦点に置かれて、前記光源が前記固視標光を照射したときに、前記固視標光と前記走査光が、両方とも前記凹状の鏡面及び前記焦点を経由して伝搬する異なる光路を経て同時に前記眼底に入射するように構成され、前記固視標光が、前記被検眼の視線を固定するための予め定められた光路を辿る、眼科装置。
【請求項２】
前記眼科装置の使用時に前記被検眼が前記凹面鏡の前記焦点に置かれて、前記光源が前記固視標光を照射したときに、前記固視標光及び前記走査光が、両方とも前記反射面、前記凹状の鏡面、及び前記焦点を通る異なる光路を経て同時に前記眼底に入射するように構成され、前記眼科装置は、前記固視標光が前記被検眼の視線を固定するための前記予め定められた光路を辿るように、前記光源による前記固視標光の照射を制御するように構成された制御部をさらに備える、請求項１に記載の眼科装置。
【請求項３】
少なくとも１つのさらなる光源をさらに備え、
前記少なくとも１つのさらなる光源は、前記眼科装置の使用時に前記被検眼が前記凹面鏡の前記焦点に置かれて、前記少なくとも１つのさらなる光源の各々が前記固視標光を照射したときに、それぞれの前記固視標光及び前記走査光が、両方とも前記凹状の鏡面及び前記焦点を経て進む異なる光路を経て同時に前記眼底に入射するように構成され、それぞれの前記固視標光の光路は前記反射面を通らず、
前記制御部が、前記光源のうちから光源を選択し、前記反射面の前記向きと、前記反射面の向きの範囲と、前記反射面の前記向きの変更速度とのうちの少なくとも１つを示す情報に基づいて、前記選択された光源によって照射された前記固視標光が前記被検眼の前記視線を固定するための予め定められた光路を辿るように、前記選択された光源による前記固視標光の照射を制御するように構成されている、請求項２に記載の眼科装置。
【請求項４】
少なくとも１つのさらなる光源をさらに備え、
前記少なくとも１つのさらなる光源は、前記眼科装置の使用時に前記被検眼が前記凹面鏡の前記焦点に置かれて、前記少なくとも１つのさらなる光源の各々が前記固視標光を照射したときに、それぞれの前記固視標光及び前記走査光が、両方とも前記反射面、前記凹状の鏡面、及び前記焦点を経て進む異なる光路を経て同時に前記眼底に入射するように構成され、
前記制御部が、前記光源のうちから光源を選択し、前記反射面の前記向きと、前記反射面の向きの範囲と、前記反射面の前記向きの変更速度とのうちの１つを示す情報に基づいて、前記選択された光源によって照射された前記固視標光が前記被検眼の前記視線を固定するための予め定められた光路を辿るように、前記選択された光源による前記固視標光の照射を制御するように構成されている、請求項２に記載の眼科装置。
【請求項５】
前記眼科装置の使用時に前記被検眼が前記凹面鏡の前記焦点に置かれて、各光源が固視標光を照射したときに、それぞれの前記固視標光及び前記走査光が、両方とも前記凹状の鏡面及び前記焦点介して進む異なる光路を経て、前記眼底の異なる箇所に同時に入射するように構成されている、請求項１〜４のいずれか一項に記載の眼科装置。
【請求項６】
前記制御部は、前記反射面が予め定められた向きに向けられているときにのみ前記光源が前記固視標光を照射するように、各光源による前記固視標光の照射を制御するように構成され、前記予め定められた向きは、前記眼底における前記固視標光の照射箇所を変えるように調節可能である、請求項２〜４のいずれか一項、又は請求項２に従属した場合の請求項５に記載の眼科装置。
【請求項７】
前記眼底の周辺領域に前記走査光が照射される場合の前記走査光の光路から外れた第１の位置に配置された第２反射面であって、前記眼科装置の使用時に前記被検眼が前記凹面鏡の前記焦点に置かれたときに、前記凹状の鏡面を介する前記予め定められた光路に沿って固視標光を前記眼底に反射するように構成された第２反射面をさらに備える、請求項１〜６のいずれか一項に記載の眼科装置。
【請求項８】
前記第２反射面が前記第１の位置と第２の位置との間で移動可能であり、前記第２の位置が、前記眼底の中央領域に前記走査光が照射される場合の前記走査光の光路から外れており、
前記眼科装置は、
前記第１の位置と前記第２の位置との間で前記第２反射面を移動させるように構成された移動機構と、
制御部であって、第１の前記反射面の向きが前記周辺領域に前記走査光を照射させる向きの場合に、前記第２反射面を前記第１の位置に配置して前記光源を点灯させるように、及び、前記第１反射面の前記向きが前記中央領域に前記走査光を照射させる向きの場合に前記第２反射面を前記第２の位置に配置するように、前記移動機構を制御すると共に、前記第２反射面から反射される前記固視標光を照射するように構成された前記光源を制御するように構成された、制御部と
をさらに備える、請求項７に記載の眼科装置。
【請求項９】
前記制御部が、前記光源のうちから光源を選択し、前記選択された光源による前記固視標光の照射を制御し、前記反射面の前記向きと、前記反射面の前記向きの範囲と、前記反射面の前記向きの変更速度とのうちの少なくとも１つを示す情報に基づいて、前記選択された光源によって照射された前記固視標光が前記被検眼の前記視線を固定するための予め定められた光路を辿るように、前記移動機構による前記第２反射面の位置決めを制御するように構成されている、請求項２〜６のいずれか一項に従属した場合の請求項８に記載の眼科装置。
【請求項１０】
前記眼底の周辺領域に前記走査光が照射される場合の前記走査光の光路から外れた第１の位置に配置された第２の光源であって、前記眼科装置の使用時に前記被検眼が前記凹面鏡の前記焦点に置かれたときに、前記凹状の鏡面を介する予め定められた光路に沿って固視標光を前記眼底に照射するように構成された第２の光源をさらに備える、請求項１〜６のいずれか一項に記載の眼科装置。
【請求項１１】
前記第２の光源が前記第１の位置と第２の位置との間で移動可能であり、前記第２の位置が、前記眼底の中央領域に前記走査光が照射される場合の前記走査光の光路から外れており、
前記眼科装置が、
前記第１の位置と前記第２の位置との間で前記第２の光源を移動させるように構成された移動機構と、
制御部であって、第１反射面の向きが前記周辺領域に前記走査光を照射させる向きの場合に、前記第２の光源を前記第１の位置に配置して点灯させるように、及び、前記第１反射面の前記向きが前記中央領域に前記走査光を照射させる向きの場合に前記第２の光源を前記第２の位置に配置するように、前記移動機構と、前記第２の光源による固視標光の照射とを制御するように構成された制御部と
をさらに備える、請求項１０に記載の眼科装置。
【請求項１２】
前記制御部が、前記光源のうちから光源を選択し、前記選択された光源による前記固視標光の照射を制御し、前記反射面の前記向きと、前記反射面の前記向きの範囲と、前記反射面の前記向きの変更速度とのうちの少なくとも１つを示す情報に基づいて、前記選択された光源によって照射された前記固視標光が前記被検眼の前記視線を固定するための予め定められた光路を辿るように、前記移動機構による前記第２の光源の位置決めを制御するように構成されている、請求項２〜６のいずれか一項に従属した場合の請求項１１に記載の眼科装置。
【請求項１３】
前記眼科装置の使用時に前記被検眼が前記凹面鏡の前記焦点に置かれたときに、前記眼底に入射する前記固視標光が連続した点灯として被検者に知覚されるべく前記固視標光を照射するように前記光源が構成されるよう構成されている、請求項１〜１２のいずれか一項に記載の眼科装置。
【発明の詳細な説明】
【技術分野】
【０００１】
本開示の技術は眼科装置に関する。
【背景技術】
【０００２】
以下では、説明の便宜上、光学コヒーレンストモグラフィ（Ｏｐｔｉｃａｌ  Ｃｏｈｅｒｅｎｃｅ  Ｔｏｍｏｇｒａｐｈｙ）を「ＯＣＴ」と称し、走査型レーザ検眼鏡（Ｓｃａｎｎｉｎｇ  Ｌａｓｅｒ  Ｏｐｈｔｈａｌｍｏｓｃｏｐｅ）を「ＳＬＯ」と称する。
【０００３】
特許文献１には、ＯＣＴを用いて画像を生成するＯＣＴユニットを備えた眼底観察装置が記載されている。特許文献１に記載のＯＣＴユニットでは、ＣＣＤ（Ｃｈａｒｇｅ  Ｃｏｕｐｌｅｄ  Ｄｅｖｉｃｅｓ）により検出された画像信号に基づいて、被検眼の眼底の膜厚方向で撮影された画像である断層画像が生成される。
【０００４】
特許文献１の眼底観察装置には、液晶ディスプレイ（ＬＣＤ：Ｌｉｑｕｉｄ  Ｃｒｙｓｔａｌ  Ｄｉｓｐｌａｙ）が内蔵されており、ＬＣＤは、ＯＣＴユニットによって眼底の撮像が行われる際に被検眼の視線を特定の向きに固定させるための固視標を表示する。ＬＣＤからの光は、レンズ及びミラーを含む光学系を経由して被検眼に入射され、これにより、被検眼の眼底に固視標が投影される。
【先行技術文献】
【特許文献】
【０００５】
【特許文献１】特開２００８−２８９５７９号公報
【発明の概要】
【０００６】
本発明は、固視標光を照射するように構成された光源と、照射部により照射された走査光を反射すると共に、向きを変更することで走査光を特定方向に走査するように構成された反射面と、を備える眼科装置を提供し、照射部は光源とは異なる走査光の供給源である。眼科装置は、眼科装置の使用時に被検眼が凹面鏡の焦点に置かれたときに、反射面で反射された走査光を被検眼の眼底に入射させるように配置された凹状の鏡面をさらに備え、眼科装置の使用時に被検眼が凹面鏡の焦点に置かれて、光源が固視標光を照射したときに、固視標光と走査光が、両方とも凹状の鏡面及び焦点を経由して伝搬する異なる光路を経て同時に眼底に入射するように構成され、固視標光は、被検眼の視線を固定するための予め定められた光路を辿る。
【０００７】
一実施形態に係る眼科装置は、眼科装置の使用時に被検眼が凹面鏡の焦点に置かれて、光源が固視標光を照射したときに、固視標光及び走査光が、両方とも反射面、凹状の鏡面、及び焦点を通る異なる光路を経て同時に眼底に入射するように構成されてもよく、眼科装置は、固視標光が被検眼の視線を固定するための予め定められた光路を辿るように、光源による固視標光の照射を制御するように構成された制御部をさらに備える。
【０００８】
上記実施形態に係る眼科装置は、少なくとも１つのさらなる光源をさらに備えてもよく、この少なくとも１つのさらなる光源は、眼科装置の使用時に被検眼が凹面鏡の焦点に置かれて、少なくとも１つのさらなる光源の各々が固視標光を照射したときに、それぞれの固視標光及び走査光が、両方とも凹状の鏡面及び焦点を経て進む異なる光路を経て同時に眼底に入射するように構成され、それぞれの固視標光の光路は反射面を通らない。制御部は、光源のうちから光源を選択し、反射面の向きと、反射面の向きの範囲と、反射面の向きの変更速度とのうちの少なくとも１つを示す情報に基づいて、選択された光源によって照射された固視標光が被検眼の視線を固定するための予め定められた光路を辿るように、選択された光源による固視標光の照射を制御するように構成されてもよい。
【０００９】
上記実施形態に係る眼科装置は、代替として、少なくとも１つのさらなる光源をさらに備えてもよく、この少なくとも１つのさらなる光源は、眼科装置の使用時に被検眼が凹面鏡の焦点に置かれて、少なくとも１つのさらなる光源の各々が固視標光を照射したときに、それぞれの固視標光及び走査光が、両方とも反射面、凹状の鏡面、及び焦点を経て進む異なる光路を経て同時に眼底に入射するように構成される。制御部は、光源のうちから光源を選択し、反射面の向きと、反射面の向きの範囲と、反射面の向きの変更速度とのうちの１つを示す情報に基づいて、選択された光源によって照射された固視標光が被検眼の視線を固定するための予め定められた光路を辿るように、選択された光源による固視標光の照射を制御するように構成されてもよい。
【００１０】
上記記載の眼科装置のいずれかは、眼科装置の使用時に被検眼が凹面鏡の焦点に置かれて、各光源が固視標光を照射したときに、それぞれの固視標光及び走査光が、両方とも凹状の鏡面及び焦点介して進む異なる光路を経て、眼底の異なる箇所に同時に入射するように構成されてもよい。
【００１１】
上記実施形態に係る眼科装置、又は上記記載のその変形形態のいずれかにおいて、制御部は、反射面が予め定められた向きに向けられているときにのみ光源が固視標光を照射するように、各光源による固視標光の照射を制御するように構成されてもよく、前記予め定められた向きは、眼底における固視標光の照射箇所を変えるように調節可能である。
【００１２】
上記記載の眼科装置のいずれかは、眼底の周辺領域に走査光が照射される場合の走査光の光路から外れた第１の位置に配置された第２反射面であって、眼科装置の使用時に被検眼が凹面鏡の焦点に置かれたときに、凹状の鏡面を介する予め定められた光路に沿って固視標光を眼底に反射するように構成されてもよい第２反射面、をさらに備えてもよい。この場合、第２反射面は第１の位置と第２の位置との間で移動可能であってもよく、第２の位置は、眼底の中央領域に走査光が照射される場合の走査光の光路から外れており、眼科装置は、第１の位置と第２の位置との間で第２反射面を移動させるように構成された移動機構と、制御部であって、第１反射面の向きが周辺領域に走査光を照射させる向きの場合に、第２反射面を第１の位置に配置して前記光源を点灯させるように、及び、第１反射面の向きが中央領域に走査光を照射させる向きの場合に第２反射面を第２の位置に配置するように、移動機構を制御すると共に、第２反射面から反射される固視標光を照射するように構成された光源を制御するように構成された、制御部と、をさらに備えてもよい。上記に記載した実施形態がこれらのさらなる特徴を備える場合、制御部は、光源のうちから光源を選択し、選択された光源による固視標光の照射を制御し、反射面の向きと、反射面の向きの範囲と、反射面の向きの変更速度とのうちの少なくとも１つを示す情報に基づいて、選択された光源によって照射された固視標光が被検眼の視線を固定するための予め定められた光路を辿るように、移動機構による第２反射面の位置決めを制御するように構成されてもよい。
【００１３】
代替として、上記記載の眼科装置のいずれかは、眼底の周辺領域に走査光が照射される場合の走査光の光路から外れた第１の位置に配置された第２の光源であって、眼科装置の使用時に被検眼が凹面鏡の焦点に置かれたときに、凹状の鏡面を介する予め定められた光路に沿って固視標光を眼底に照射するように構成された第２の光源、をさらに備えてもよい。一改変例において、第２の光源は第１の位置と第２の位置との間で移動可能であってもよく、第２の位置は、眼底の中央領域に走査光が照射される場合の走査光の光路から外れており、眼科装置は、第１の位置と第２の位置との間で第２の光源を移動させるように構成された移動機構と、制御部であって、第１反射面の向きが周辺領域に走査光を照射させる向きの場合に、第２の光源を第１の位置に配置して点灯させるように、及び、第１反射面の向きが中央領域に走査光を照射させる向きの場合に第２の光源を第２の位置に配置するように、移動機構と、第２の光源による固視標光の照射とを制御するように構成された制御部と、をさらに備えてもよい。上述の改変が上記に記載した実施形態に適用される場合、制御部は、光源のうちから光源を選択し、選択された光源による固視標光の照射を制御し、反射面の向きと、反射面の向きの範囲と、反射面の向きの変更速度とのうちの少なくとも１つを示す情報に基づいて、選択された光源によって照射された固視標光が被検眼の視線を固定するための予め定められた光路を辿るように、移動機構による第２の光源の位置決めを制御するように構成されてもよい。
【００１４】
上記記載の眼科装置のいずれかは、眼科装置の使用時に被検眼が凹面鏡の焦点に置かれたときに、眼底に入射する固視標光が残像現象により連続した点灯として１つの位置で被検者に知覚されるべく固視標光を照射するように光源が成されるように、構成されてもよい。
【図面の簡単な説明】
【００１５】
【図１】第１〜第４例示的実施形態に係る眼底観察装置の全体構成の一例を示すブロック図である。
【図２】第１〜第４例示的実施形態に係る眼底観察装置の撮像系の各光源から照射された光を被検眼に導く光学系の構成の一例を示す概略斜視図である。
【図３】第１〜第４例示的実施形態に係る眼底観察装置に含まれる主制御部のハードウェア構成の一例を示すブロック図である。
【図４】第１例示的実施形態に係る眼底観察装置に含まれるダイクロイックミラー、スリットミラー、Ｈ−ガルバノミラー、楕円面鏡、第１固視標光源、及び第２固視標光源の概略構成を示す平面視概念図である。
【図５】第１例示的実施形態に係る眼底観察装置に含まれる第１固視標光源が点灯している状態での本開示の技術に係る要部構成の一例を示す平面視概念図である。
【図６】第１例示的実施形態に係る眼底観察装置に含まれる第１及び第２固視標光源が消灯している状態での本開示の技術に係る要部構成の一例を示す平面視概念図である。
【図７】第１例示的実施形態に係る眼底観察装置に含まれる第２固視標光源が点灯している状態での本開示の技術に係る要部構成の一例を示す平面視概念図である。
【図８】第１例示的実施形態に係る固視標光制御処理の流れの一例を示すフローチャートである。
【図９】第２例示的実施形態に係る眼底観察装置に含まれるダイクロイックミラー、スリットミラー、Ｈ−ガルバノミラー、楕円面鏡、及び第１〜第４固視標光源の概略構成を示す平面視概念図である。
【図１０】第２例示的実施形態に係る眼底観察装置に含まれる第３固視標光源が点灯している状態での本開示の技術に係る要部構成の一例を示す平面視概念図である。
【図１１】第２例示的実施形態に係る眼底観察装置に含まれる第４固視標光源が点灯している状態での本開示の技術に係る要部構成の一例を示す平面視概念図である。
【図１２】第２例示的実施形態に係る固視標光制御処理の流れの一例を示すフローチャートである。
【図１３】第３例示的実施形態に係る眼底観察装置に含まれるダイクロイックミラー、スリットミラー、Ｈ−ガルバノミラー、楕円面鏡、平面ミラー、及び第１〜第３固視標光源の概略構成を示す平面視概念図である。
【図１４】第３例示的実施形態に係る眼底観察装置に含まれる第３固視標光源が第３端部に照射光を照射している状態で点灯しているタイミングでの、本開示の技術に係る要部構成の一例を示す平面視概念図である。
【図１５】第３例示的実施形態に係る眼底観察装置に含まれる第３固視標光源が第４端部に照射光を照射している状態で点灯しているタイミングでの、本開示の技術に係る要部構成の一例を示す平面視概念図である。
【図１６】第３例示的実施形態に係る眼底観察装置に含まれる第３固視標光源が消灯している状態での本開示の技術に係る要部構成の一例を示す平面視概念図である。
【図１７】第３例示的実施形態に係る固視標光制御処理の流れの一例を示すフローチャートである。
【図１８】固視標光源の選択に使用される固定制限マップの例を示す図である。
【図１９】第４例示的実施形態に係る眼底観察装置に含まれる第３固視標光源が第４端部に照射光を照射している状態で点灯しているタイミングでの、本開示の技術に係る要部構成の一例を示す平面視概念図である。
【図２０】第４例示的実施形態に係る固視標光制御処理の流れの一例を示すフローチャートである。
【図２１】第３例示的実施形態に係る眼底観察装置の構成の変形例を示す平面視概念図である。
【図２２】第４例示的実施形態に係る眼底観察装置の構成の変形例を示す平面視概念図である。
【図２３】第１〜第４例示的実施形態に係るプログラムが記憶された記憶媒体からプログラムが眼底観察装置にインストールされる態様の一例を示す概念図である。
【図２４】図１に示すＳＬＯユニット、ＯＣＴユニット、及び共通光学系に対応する構成を示す概念図である。
【図２５】走査光学系の第１の変形例を示す概念図である。
【図２６】走査光学系の第２の変形例を示す概念図である。
【図２７】第２例示的実施形態に係る眼底観察装置の要部構成の変形例を示す平面視概念図である。
【発明を実施するための形態】
【００１６】
以下、添付図面に従って本発明に係る例示的実施形態の一例について説明する。
【００１７】
本発明の一実施形態は、眼科装置の一例である眼底観察装置を提供し、この眼底観察装置は、眼底の撮像用の光源から眼底に照射される光の照射領域の広角化に対応した固視標の提示を実現することができる。
【００１８】
本発明の第１の実施形態の眼底観察装置は、被検眼の眼底の撮像用の光を照射する照射部により照射された光を反射すると共に、向きを変更することで光を特定方向に走査する反射面と、反射面で反射された光を眼底に入射させ、且つ、反射面で反射された光に基づく焦点が被検眼に位置するように配置された凹状の鏡面と、固視標を示す光である固視標光を反射面及び鏡面を介して眼底に対して正対した状態で照射する複数の光源であって、反射面の向きが、眼底の中央領域の特定方向における一方の端部である第１端部に光を照射させる第１の向きの場合に点灯する第１の光源と、反射面の向きが、中央領域の特定方向の他方の端部である第２端部に光を照射させる第２の向きの場合に点灯する第２の光源とを含む複数の光源と、を含む。したがって、この眼底観察装置は、眼底の撮像用の光源から眼底に照射される光の照射領域の広角化に対応した固視標の提示を実現することができる。
【００１９】
第１の実施形態の眼底観察装置において、光が第１端部及び第２端部を通るように特定方向に往復して中央領域に対して光が走査される場合の反射面の向きの変更速度は、第１の光源の点灯及び第２の光源の点灯を残像現象により連続した点灯として被検眼を通して被検者に知覚させる速度以上の速度であってもよい。したがって、本発明の第２の態様に係る眼底観察装置は、眼底の撮像用の光源から眼底に照射される光を眼底の中央領域に照射させて撮像を行う場合に、被検者に対して固視標を途切れることなく視認させることができる。
【００２０】
上記記載の眼底観察装置のいずれかの変形形態において、複数の光源は、反射面の向きが、中央領域の周辺領域の特定方向における一方の端部である第３端部に光を照射させる第３の向きの場合に点灯する第３の光源と、反射面の向きが、周辺領域の他方の端部である第４端部に光を照射させる第第４の向きの場合に点灯する第４の光源と、をさらに含んでもよい。したがって、眼底観察装置は、眼底の中央領域の周辺領域に対応した固視標の提示を実現することができる。
【００２１】
さらに、上記変形形態の眼底観察装置において、光が第３端部及び第４端部を通るように特定方向に往復して中央領域及び周辺領域に対して光が走査される場合の反射面の向きの変更速度は、第３の光源の点灯及び第４の光源の点灯を残像現象により連続した点灯として被検眼を通して被検者に知覚させる速度以上の速度であってもよい。したがって、眼底観察装置は、眼底の撮像用の光源から眼底に照射される光を眼底の中央領域の周辺領域に照射させて撮像を行う場合に、被検者に対して固視標を途切れることなく視認させることができる。
【００２２】
本発明の第２の実施形態に係る眼底観察装置は、被検眼の眼底の撮像用の光を照射する照射部により照射された光を反射すると共に、向きを変更することで光を特定方向に走査する第１反射面と、第１反射面で反射された光を眼底に入射させ、且つ、第１反射面で反射された光に基づく焦点が被検眼に位置するように配置された凹状の鏡面と、光の光路から外れた位置に配置され、固視標を示す光である固視標光を照射する光源と、眼底の中央領域の周辺領域に光が照射される場合の光の光路から外れた位置に配置され、第１の位置において、光源から照射された固視標光を反射し、反射した固視標光を鏡面を介して眼底に対して正対した状態で照射可能な第２反射面と、駆動源からの動力を受けることにより、第１の位置と中央領域に光が照射される場合の光の光路から外れた第２の位置との間で第２反射面を移動させる移動機構と、第１反射面の向きが周辺領域に光を照射させる向きの場合に第２反射面が第１の位置に配置され、且つ、光源を点灯させ、第１反射面の向きが中央領域に光を照射させる向きの場合に第２反射面が第２の位置に配置され、且つ、光源を点灯させるように駆動源及び光源を制御するように構成された制御部と、を含む。したがって、本発明の第２の実施形態に係る眼底観察装置は、眼底の撮像用の光源から眼底に照射される光の照射領域の広角化に対応した固視標の提示を実現することができる。
【００２３】
本発明の第３の実施形態に係る眼底観察装置は、被検眼の眼底の撮像用の光を照射する照射部により照射された光を反射すると共に、向きを変更することで光を特定方向に走査する第１反射面と、第１反射面で反射された光を眼底に入射させ、且つ、第１反射面で反射された光に基づく焦点が被検眼に位置するように配置された凹状の鏡面と、眼底の中央領域の周辺領域に光が照射される場合の光の光路から外れた位置に配置され、第１の位置において、固視標を示す光である固視標光を鏡面を介して眼底に対して正対した状態で照射可能な光源と、駆動源からの動力を受けることにより、第１の位置と中央領域に光が照射される場合の光の光路から外れた第２の位置との間で光源を移動させる移動機構と、第１反射面の向きが眼底の中央領域の周辺領域に光を照射させる向きの場合に光源が第１の位置に配置され、且つ、光源を点灯させ、第１反射面の向きが中央領域に光を照射させる向きの場合に光源が第２の位置に配置され、且つ、光源を点灯させるように駆動源及び光源を制御するように構成された制御部と、を含む。したがって、本発明の第３の実施形態に係る眼底観察装置は、眼底の撮像用の光源から眼底に照射される光の照射領域の広角化に対応した固視標の提示を実現することができる。
【００２４】
本発明の第４の実施形態に係る眼底観察装置は、被検眼の眼底の撮像用の光を照射する反射部により反射された光を眼底に入射させ、光に基づく焦点が被検眼に位置するように配置された凹状の鏡面と、光の光路から外れた位置に配置され、固視標を示す光である固視標光を照射する光源と、眼底の中央領域の周辺領域に光が照射される場合の光の光路から外れた位置に配置され、第１の位置において、光源から照射された固視標光を反射し、反射した固視標光を鏡面を介して眼底に対して正対した状態で照射可能な反射面と、第１の位置と中央領域に光が照射される場合の光の光路から外れた第２の位置との間で反射面を移動させる移動機構と、を含む。したがって、本発明の第４の実施形態に係る眼底観察装置は、眼底の撮像用の光源から眼底に照射される光の照射領域の広角化に対応した固視標の提示を実現することができる。
【００２５】
本発明の第５の実施形態に係る眼底観察装置は、被検眼の眼底の撮像用の光を照射する反射部により反射された光を眼底に入射させ、光に基づく焦点が被検眼に位置するように配置された凹状の鏡面と、眼底の中央領域の周辺領域に光が照射される場合の光の光路から外れた位置に配置され、第１の位置において、固視標を示す光である固視標光を鏡面を介して眼底に対して正対した状態で照射可能な光源と、第１の位置と中央領域に光が照射される場合の光の光路から外れた第２の位置との間で光源を移動させる移動機構と、を含む。したがって、本発明の第５の実施形態に係る眼底観察装置は、眼底の撮像用の光源から眼底に照射される光の照射領域の広角化に対応した固視標の提示を実現することができる。
【００２６】
本発明の例示的実施形態によれば、眼底の撮像用の光源から眼底に照射される光の照射領域の広角化に対応した固視標の提示を実現することができる、という有利な効果が得られる。
【００２７】
以下の例示的実施形態において、「垂直」とは、許容される範囲内の誤差を含めた意味合いでの垂直を指し、「平行」とは、許容される範囲内の誤差を含めた意味合いでの平行を指す。また、例示的実施形態において、「正対」とは、許容される範囲内の誤差を含めた意味合いでの正対を指す。また、「同一」とは、許容される範囲内の誤差を含めた意味合いでの同一を指す。
【００２８】
例示的実施形態では、説明の便宜上、スーパールミネッセントダイオード（Ｓｕｐｅｒ  Ｌｕｍｉｎｅｓｃｅｎｔ  Ｄｉｏｄｅ）を「ＳＬＤ」と称する。また、説明の便宜上、インタフェース（Ｉｎｔｅｒｆａｃｅ）を「Ｉ／Ｆ」と称する。また、赤（Ｒｅｄ）を「Ｒ」と称し、緑（Ｇｒｅｅｎ）を「Ｇ」と称する。
【００２９】
第１例示的実施形態
図１に示すように、本発明の一実施形態に係る眼科装置の一例である眼底観察装置１０Ａは、装置本体１２及び制御装置１３を含む。
【００３０】
装置本体１２は、ＳＬＯユニット３２、ＯＣＴユニット３４、及び共通光学系３６を含む。なお、ＳＬＯユニット３２及びＯＣＴユニット３４は、本開示の技術に係る「照射部」の一例である。
【００３１】
眼底観察装置１０Ａは、ＳＬＯによる撮像を行う機能であるＳＬＯ撮像系機能と、ＯＣＴによる撮像を行う機能であるＯＣＴ撮像系機能とを有する。ＳＬＯ撮像系機能は、制御装置１３、ＳＬＯユニット３２、及び共通光学系３６によって実現される。ＯＣＴ撮像系機能は、制御装置１３、ＯＣＴユニット３４、及び共通光学系３６によって実現される。
【００３２】
眼底観察装置１０Ａは、ＳＬＯ撮影系機能を働かせる動作モードであるＳＬＯモードと、ＯＣＴ撮像系機能を働かせる動作モードであるＯＣＴモードとを含んでいる。ＳＬＯモード及びＯＣＴモードは、ユーザの指示、又はシーケンス制御によって選択的に設定される。
【００３３】
ＳＬＯユニット３２は、被検眼３８の眼底の表面の２次元画像を生成するために用いられる、射出部４０、ビームスプリッタ４２、ポリゴンミラー４４、光検出器４６、及びモータ４８を含む。
【００３４】
以下では、説明の便宜上、被検眼３８の眼底を単に「眼底」とも称する。また、以下では、説明の便宜上、例えば眼底観察装置１０Ａが水平面（図示省略）に設置された場合の水平面に対する垂直方向を「Ｙ方向」と称する。また、以下では、説明の便宜上、例えば眼底観察装置１０Ａが水平面に設置された場合の水平面に対して平行で、且つ、眼底観察装置１０Ａの接眼レンズ（図示省略）に対して前眼部が正対した状態で配置された被検眼３８の奥行き方向である方向を「Ｚ方向」と称する。また、以下では、説明の便宜上、Ｙ方向及びＺ方向の双方に対して垂直な方向を「Ｘ方向」と称する。
【００３５】
射出部４０は、光源４０Ａ及びバンドパスフィルタ４０Ｂを含む。光源４０Ａは、ＳＬＯによる撮影用の光源であり、約４００ナノメートル〜約９００ナノメートルの範囲内の波長の光を射出する。光源４０Ａから射出された光はバンドパスフィルタ４０Ｂを透過することで、特定の波長を有する光のみがビームスプリッタ４２に射出される。
【００３６】
本第１例示的実施形態では、射出部４０から射出される光は、可視光であるＲＧ光と、近赤外領域の波長の光である近赤外光とに大別される。
【００３７】
本例示的第１実施形態では、光源４０Ａから発せられる光の波長を変更し、且つ、光源４０Ａから発せられた光に対してバンドパスフィルタ４０Ｂを作用させることで、射出部４０からＲＧ光及び近赤外光が選択的に射出される。
【００３８】
以下では、説明の便宜上、射出部４０から射出される光としてのＲＧ光と近赤外光とを区別して説明する必要がない場合、単に「ＳＬＯ光」と称する。また、ＳＬＯ光は、本開示の技術に係る「被検眼の眼底の撮像用の光」（「走査光」とも呼ぶ）の一例である。
【００３９】
ビームスプリッタ４２は、ＳＬＯ光を透過させることでポリゴンミラー４４に導き、第１眼底反射光を光検出器４６に導く。ここで、第１眼底反射光とは、ＳＬＯ光に起因する眼底反射光を指す。眼底反射光とは、眼底で反射して共通光学系３６に入射した光を指す。
【００４０】
ポリゴンミラー４４は、ビームスプリッタ４２からのＳＬＯ光を共通光学系３６に送り出す。そして、一例として図２に示すように、ポリゴンミラー４４は、モータ４８の駆動力を受けて矢印Ａ方向に回転することでＳＬＯ光をＹ方向に走査する。
【００４１】
光検出器４６は、フォトディテクタ４６Ａ及び光学フィルタ４６Ｂを含む。光学フィルタ４６Ｂは、フォトディテクタ４６Ａの受光面４６Ａ１とビームスプリッタ４２の反射面４２Ａとの間で受光面４６Ａ１を覆う位置に配置される。近赤外光による第１眼底反射光とＲＧ光による第１眼底反射光とを選択的に受光面４６Ａ１に入射させる。
【００４２】
フォトディテクタ４６Ａは、光学フィルタ４６Ｂを経て入射された第１眼底反射光に基づく画像信号であるＳＬＯ画像信号を生成し、生成したＳＬＯ画像信号を出力する。
【００４３】
ＯＣＴユニット３４は、眼底の断層画像を生成するために用いられ、ＳＬＤ５０、光カプラ５２、参照光光学系５４、分光器５６、ラインセンサ５８、Ｖ−ガルバノミラー６０、及びモータ６２を含む。
【００４４】
ＳＬＤ５０は、低コヒーレンス光を射出する。低コヒーレンス光とは、例えば、射出部４０から射出される近赤外光よりも長い波長の近赤外領域の光を含み、数十マイクロメートル程度の時間的コヒーレンス長を有する光を指す。
【００４５】
ＳＬＤ５０から射出された低コヒーレンス光は、第１の光ファイバ（図示省略）を経由して光カプラ５２に取り込まれ、参照光と信号光とに分割される。参照光は、第２の光ファイバ（図示省略）を経由して参照光光学系５４に導かれ、信号光は、第３の光ファイバ（図示省略）を経由してＶ−ガルバノミラー６０に導かれる。なお、信号光は、本開示の技術に係る「被検眼の眼底の撮像用の光」（「走査光」とも呼ぶ）の一例である。
【００４６】
参照光光学系５４は、コリメータレンズ（図示省略）、分散補償ガラス（図示省略）、及び参照ミラー（図示省略）を含んでいる。参照光は、コリメータレンズ及び分散補償ガラスを経由して参照ミラーに導かれる。
【００４７】
参照ミラーは、参照光を反射することで同一の光路を経由させて光カプラ５２に戻す。参照ミラーは、参照光の光軸方向に移動可能な可動式ミラーであり、参照ミラーの位置を光軸上で移動させることで参照光の光路長が調節される。参照ミラーを移動させることで、Ｚ方向の異なる位置における眼底の画像を取得することが可能となる。
【００４８】
Ｖ−ガルバノミラー６０は、信号光を共通光学系３６に送り出す。そして、一例として図２に示すように、Ｖ−ガルバノミラー６０は、モータ６２の駆動力を受けて矢印Ｂ方向に回転振動することで信号光をＹ方向に走査する。
【００４９】
また、Ｖ−ガルバノミラー６０は、第２眼底反射光を第４の光ファイバを経て光カプラ５２に導く。ここで、第２眼底反射光とは、信号光に起因する眼底反射光を指す。
【００５０】
光カプラ５２によって導かれた第２眼底反射光は、光カプラ５２によって参照光光学系から光カプラ５２に導かれた参照光と光カプラ５２で重畳され、干渉が起こる。干渉が起こることで得られた干渉光は、分光器５６により分光され、分光された干渉光は、ラインセンサ５８に導かれる。
【００５１】
ラインセンサ５８は、入射された干渉光に基づく画像信号であるＯＣＴ画像信号を生成し、生成したＯＣＴ画像信号を出力する。
【００５２】
共通光学系３６は、ダイクロイックミラー６４、楕円状の凹面反射面を有するスリットミラー６６、Ｈ−ガルバノミラー６８、楕円面鏡７０、及びモータ７２を含む。
【００５３】
ダイクロイックミラー６４は、ＳＬＯユニット３２のポリゴンミラー４４からのＳＬＯ光を透過させることで、ＳＬＯ光をスリットミラー６６に導き、ＯＣＴユニット３４のＶ−ガルバノミラー６０からの信号光を反射することで、信号光をスリットミラー６６に導く。
【００５４】
以下では、説明の便宜上、信号光及びＳＬＯ光を区別して説明する必要がない場合、「照射光」又は「走査光」と称する。
【００５５】
スリットミラー６６は、入射された照射光をＨ−ガルバノミラー６８に向けて反射する。Ｈ−ガルバノミラー６８は、スリットミラー６６からの照射光を反射して楕円面鏡７０の鏡面７０Ａに送り出す。そして、一例として図２に示すように、Ｈ−ガルバノミラー６８は、モータ７２の駆動力を受けて矢印Ｃ方向に回転振動することで照射光をＸ方向に走査する。なお、Ｘ方向は、本開示の技術に係る「特定方向」の一例である。鏡面７０Ａは、本開示の技術に係る「凹状の鏡面」の一例である。
【００５６】
楕円面鏡７０は、鏡面７０Ａに入射された照射光を反射することで照射光を眼底に導く。楕円面鏡７０は、鏡面７０Ａで反射された照射光に基づく焦点が被検眼３８に位置するように配置されている。換言すると、楕円面鏡７０は、その焦点が眼底観察装置１０Ａの使用時に被検眼３８の瞳孔に位置するように配置されている。楕円面鏡７０によって眼底に導かれた照射光は、眼底で反射する。そして、眼底反射光は、共通光学系３６において、照射光と同一の光路を辿ってダイクロイックミラー６４に導かれる。ダイクロイックミラー６４は、第１眼底反射光をＳＬＯユニット３２に導き、第２眼底反射光をＯＣＴユニット３４に導く。２つの楕円面による眼底撮像光学系の基本構成については、国際出願ＰＣＴ／ＧＢ９４／０２４６５（ＷＯ９５／１３０１２）及び国際出願ＰＣＴ／ＧＢ２００７／００２２０８（ＷＯ２００８／００９８７７）に記載されている構成と同様であり、各文献の開示は参照により本明細書に取り込まれる。さらに、本明細書の実施形態は、構造面及び動作面の双方において、例えば、米国特許第７，９５９，２９０号、米国特許出願公開第２０１５／０２１６４０８号、米国特許出願公開第２０１４／０３２７８８２号、米国特許出願公開第２０１３／０１３５５８３号、及び米国特許出願公開第２０１３／０３３５７０３号に開示されている、技術的に関連するシステム及び方法論と組み合わせることが可能であり、各文献の開示も参照により本明細書に取り込まれる。
【００５７】
眼底観察装置１０Ａでは、一例として図１に示すように、眼底での照射光の照射領域は、本開示の技術に係る「眼底の中央領域」の一例である第１照射領域αと、本開示の技術に係る「周辺領域」の一例である第２照射領域βとに大別される。照射光は、眼３８に±３０度よりも大きい角度で入射したときに網膜の周辺部を照明することができる。
【００５８】
第１照射領域αとは、例えば、被検眼３８の中心ＯからＺ方向側の４５度の角度範囲、換言すると、被検眼３８の中心Ｏを基準点として眼底の中心から眼底の周辺方向にかけて４５度の角度で広がった領域を指す。第２照射領域βとは、例えば、被検眼３８の中心ＯからＺ方向側の４５度を超え且つ２００度以下の角度範囲、換言すると、被検眼３８の中心Ｏと共に眼底の中心から眼底の周辺方向にかけて４５度を超え且つ２００度以下の角度範囲に広がった領域を指す。
【００５９】
制御装置１３は、装置本体１２と各種情報の授受を行うことで装置本体１２の動作を制御する。また、制御装置１３は、フォトディテクタ４６Ａから得られたＳＬＯ画像信号に基づいて眼底の表面の態様を示す２次元画像を生成する。また、制御装置１３は、ラインセンサ５８から得られたＯＣＴ画像信号に基づいて眼底の断層画像を生成する。
【００６０】
なお、この第１例示的実施形態では、ＳＬＯユニット３２を用いて得られる２次元画像が、ＲＧ光に基づく有彩色の画像と近赤外光に基づく無彩色の画像とに大別される。また、ＯＣＴユニット３４を用いて得られる断層画像は、無彩色の画像である。ＳＬＯユニット３２を用いて得られる２次元画像及びＯＣＴユニット３４を用いて得られる断層画像は共に、静止画像として表示され、ライブビュー画像としても表示される。
【００６１】
制御装置１３は、主制御部１４、ＯＣＴ画像生成部１６、ＳＬＯ画像生成部１８、受付Ｉ／Ｆ２０、受付デバイス２２、表示制御部２４、ディスプレイ２６、通信Ｉ／Ｆ２８、及びバスライン３０を含む。
【００６２】
主制御部１４、ＯＣＴ画像生成部１６、ＳＬＯ画像生成部１８、受付Ｉ／Ｆ２０、表示制御部２４、及び通信Ｉ／Ｆ２８は、バスライン３０により互いと接続されている。したがって、主制御部１４は、ＯＣＴ画像生成部１６、ＳＬＯ画像生成部１８、受付Ｉ／Ｆ２０、表示制御部２４、及び通信Ｉ／Ｆ２８との間で各種情報の授受を行うことができる。
【００６３】
主制御部１４は、モータ４８、６２、７２の各々に対応する各モータ駆動回路（図示省略）を通信Ｉ／Ｆ２８を介して制御することで、モータ４８、６２、７２の駆動を制御する。
【００６４】
また、主制御部１４は、光源４０Ａに対応する光源駆動回路（図示省略）を通信Ｉ／Ｆ２８を介して制御することで、光源４０Ａの点灯及び消灯の切り替え、光量の調節、及び光源４０Ａから発せられる光の波長の変更等を行う。
【００６５】
また、主制御部１４は、ＳＬＤ５０に対応するＳＬＤ駆動回路（図示省略）を通信Ｉ／Ｆ２８を介して制御することで、ＳＬＤ５０の点灯及び消灯の切り替え、光量の調節、及びＳＬＤ５０から発せられる光の波長の変更等を行う。
【００６６】
さらに、主制御部１４は、バンドパスフィルタ４０Ｂの動作、光学フィルタ４６Ｂの動作、及び参照光光学系５４の参照ミラーの動作を、通信Ｉ／Ｆ２８を介して制御する。
【００６７】
受付デバイス２２は、キーボード、マウス、及びタッチパネル等を含み、ユーザによる各種指示を受け付ける。
【００６８】
受付デバイス２２は、受付Ｉ／Ｆ２０に接続されており、受け付けた指示の内容を示す指示内容信号を受付Ｉ／Ｆ２０に出力する。主制御部１４は、受付Ｉ／Ｆ２０から入力された指示内容信号に応じた処理を実行する。
【００６９】
ディスプレイ２６は、例えば、ＬＣＤやＯＥＬＤ（Ｏｒｇａｎｉｃ  Ｅｌｅｃｔｒｏｌｕｍｉｎｅｓｃｅｎｃｅ  Ｄｉｓｐｌａｙ）である。ディスプレイ２６は、表示制御部２４に接続されている。表示制御部２４は、主制御部１４の制御下で、ディスプレイ２６を制御することにより、ＳＬＯユニット３２を用いて得られる２次元画像及びＯＣＴユニット３４を用いて得られる断層画像を静止画像やライブビュー画像としてディスプレイ２６に表示する。また、表示制御部２４は、主制御部１４の制御下で、ディスプレイ２６を制御することにより、メニュー画面等の各種画面も表示する。
【００７０】
通信Ｉ／Ｆ２８は、装置本体３４の電気系と接続されており、主制御部１４の制御下で動作して、主制御部１４と装置本体３４との間での各種情報の授受を司る。
【００７１】
ＳＬＯ画像生成部１８は、ＳＬＯユニット３２のフォトディテクタ４６ＡからのＳＬＯ画像信号を通信Ｉ／Ｆ２８を介して取得し、取得したＳＬＯ画像信号に基づく２次元画像を生成する処理を行う専用回路である。
【００７２】
ＳＬＯ画像生成部１８は、生成した２次元画像を、例えば、数十フレーム／秒などの特定のフレームレートで１フレーム毎に表示制御部２４に出力する。表示制御部２４は、ＳＬＯ画像生成部１８から入力された２次元画像を、主制御部１４の指示に従って、ライブビュー画像としてディスプレイ２６に表示する。また、表示制御部２４は、ＳＬＯ画像生成部１８から入力された２次元画像を、主制御部１４の指示に従って、静止画像としてディスプレイ２６に表示する。
【００７３】
ＯＣＴ画像生成部１６は、ＯＣＴユニット３４のラインセンサ５８からのＯＣＴ画像信号を通信Ｉ／Ｆ２８を介して取得し、取得したＯＣＴ画像信号に基づく断層画像を生成する処理を行う専用回路である。
【００７４】
ＯＣＴ画像生成部１６は、生成した断層画像を、例えば、数十フレーム／秒などの特定のフレームレートで１フレーム毎に表示制御部２４に出力する。表示制御部２４は、ＯＣＴ画像生成部１６から入力された断層画像を、主制御部１４の指示に従って、ライブビュー画像としてディスプレイ２６に表示する。また、表示制御部２４は、ＯＣＴ画像生成部１６から入力された断層画像を、主制御部１４の指示に従って、静止画像としてディスプレイ２６に表示する。
【００７５】
なお、この第１例示的実施形態では、ＯＣＴ画像生成部１６及びＳＬＯ画像生成部１８の各々が、ＦＰＧＡ（Ｆｉｅｌｄ−Ｐｒｏｇｒａｍｍａｂｌｅ  Ｇａｔｅ  Ａｒｒａｙ）によって実現される場合を例示しているが、本開示の技術はこれに限定されるものではない。例えば、ＯＣＴ画像生成部１６及びＳＬＯ画像生成部１８の各々は、ＣＰＵ、ＲＯＭ、及びＲＡＭを含むコンピュータによって実現されてもよいし、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって実現されてもよい。また、ＯＣＴ画像生成部１６及びＳＬＯ画像生成部１８の各々は、ハードウェア構成及びソフトウェア構成の組み合わせによって実現されてもよい。
【００７６】
一例として図３に示すように、主制御部１４は、ＣＰＵ（Ｃｅｎｔｒａｌ  Ｐｒｏｃｅｓｓｉｎｇ  Ｕｎｉｔ）７４、一次記憶部７６、及び二次記憶部７８を含む。ＣＰＵ７４、一次記憶部７６、及び二次記憶部７８は、バスライン３０により互いと接続されている。
【００７７】
本開示の技術に係る「制御部」の一例であるＣＰＵ７４は、眼底観察装置１０Ａの全体を制御する。一次記憶部７６は、各種プログラムの実行時のワークエリア等として用いられる揮発性のメモリである。一次記憶部７６の一例としては、ＲＡＭ（Ｒａｎｄｏｍ  Ａｃｃｅｓｓ  Ｍｅｍｏｒｙ）が挙げられる。二次記憶部７８は、眼底観察装置１０Ａの基本的な動作を制御するプログラムや各種パラメータ等を記憶する不揮発性のメモリである。二次記憶部７８の一例としては、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）やフラッシュメモリ等が挙げられる。
【００７８】
二次記憶部７８は、後述の固視標光制御処理（図８参照）を実現するためにＣＰＵ７４実行されるプログラム８０Ａを記憶している。
【００７９】
ＣＰＵ７４は、二次記憶部７８からプログラム８０Ａを読み出してプログラム８０Ａを一次記憶部７６に展開し、プログラム８０Ａを実行することで、本開示の技術に係る制御部として動作する。
【００８０】
一例として図４に示すように、スリットミラー６６には、本開示の技術に係る「第１の光源」の一例である第１固視標光源８２、及び本開示の技術に係る「第２の光源」の一例である第２固視標光源８４が隣接している。第１固視標光源８２は、フレーム８６等によって筐体（図示省略）に固定されており、第２固視標光源８４は、フレーム８８等によって筐体に固定されている。
【００８１】
ここで、第１固視標光源８２及び第２固視標光源８４はどちらも、光量、波長、及びビーム径等の光の特性が同一の固視標光を射出するＬＥＤ（Ｌｉｇｈｔ−Ｅｍｉｔｔｉｎｇ−Ｄｉｏｄｅ）であり、どちらも制御装置１３の制御下で点灯及び消灯が選択的に行われる。なお、固視標光とは、ＳＬＯモードで眼底の撮像を行う場合及びＯＣＴモードで眼底の撮像を行う場合に、被検眼３８の視線を特定の位置に固定させるために被検眼３８に提示する固視標を示す光を指す。固視標は、したがって、被検者には固定された位置にあるように知覚され、その結果、被検眼３８の視線を特定の方向に固定する役割を果たす。
【００８２】
本第１例示的実施形態において、固視標光は、第１固視標光源８２から射出される第１固視標光と第２固視標光源８４から射出される第２固視標光とに大別される。なお、本第１例示的実施形態では、説明の便宜上、第１固視標光と第２固視標光とを区別せずに説明する場合、単に「固視標光」と称する。図４〜図７において、一点鎖線で示す光路は照射光（又は「走査光」）の光路であり、固視標光の光路は二点鎖線で示している。以下で説明するように、眼底観察装置１０Ａは、眼底観察装置１０Ａの使用時に被検眼３８が凹面鏡７０の焦点に置かれて、固視標光源８２及び８４のどちらかが固視標光を照射したときに、固視標光と走査光が、両方とも凹状の鏡面７０Ａ及び焦点を経由して伝搬する異なる光路を経て同時に眼底に（例えば異なる箇所に）入射するように構成され、固視標光は、被検眼３８の視線を固定するための予め定められた光路を辿る。
【００８３】
一例として図５〜図７に示すように、第１端部α１と第２端部α２との間で往復して信号光が照射される場合、Ｈ−ガルバノミラー６８の１秒間当たりの回転数、すなわち、Ｈ−ガルバノミラー６８の振動数は、例えば、２５Ｈｚ（ヘルツ）である。なお、ここで、第１端部α１とは、第１照射領域αのＸ方向における一方の端部を指し、第２端部α２とは、第１照射領域αのＸ方向における他方の端部を指す。
【００８４】
一例として図５に示すように、第１固視標光源８２は、Ｈ−ガルバノミラー６８の鏡面６８Ａの向きが第１の向きの場合に第１固視標光が眼底に対して正対した状態で第１照射領域αの中央部（例えば中心窩）に照射されるように配置されている。なお、Ｈ−ガルバノミラー６８の鏡面６８Ａは、本開示の技術に係る「反射面」及び「第１反射面」の一例である。
【００８５】
第１固視標光源８２は、鏡面６８Ａの向きが第１の向きの場合にのみ点灯される。したがって、第１固視標光源８２は、鏡面６８Ａの向きが第１の向きのときに点灯され、鏡面６８Ａがすべての他の向きであるときには点灯されない。なお、ここで、第１の向きとは、例として、一例として図５に示すように第１端部α１に照射光が照射される場合の鏡面６８Ａの向きを指す。第１固視標光源８２は、より一般的には、鏡面６８Ａが予め定められた向きに向けられているときにのみ点灯させることができ、前記予め定められた向きは、眼底における固視標光の照射箇所を変えるように調節可能である。
【００８６】
鏡面６８Ａの向きが第１の向きの場合、第１固視標光は、鏡面６８Ａ及び鏡面７０Ａを介して眼底に対して正対した状態で第１照射領域αの中央部（例えば中心窩）に照射される。つまり、鏡面６８Ａの向きが第１の向きの場合、第１固視標光は、鏡面６８Ａで反射し、反射した第１固視標光は鏡面７０Ａでさらに反射し、鏡面７０Ａで反射した第１固視標光は眼底に対して正対した状態で第１照射領域αの中央部に到達する。
【００８７】
一例として図７に示すように、第２固視標光源８４は、鏡面６８Ａの向きが第２の向きの場合に第２固視標光が眼底に対して正対した状態で第１照射領域αの中央部に照射されるように配置されている。第２固視標光源８４は、鏡面６８Ａの向きが第２の向きの場合にのみ点灯される。したがって、第２固視標光源８４は、鏡面６８Ａの向きが第２の向きのときに点灯され、鏡面６８Ａが第２の向き以外のいずれの向きにあるときには点灯されない。なお、ここで、第２の向きとは、例として、一例として図７に示すように第２端部α２に照射光が照射される場合の鏡面６８Ａの向きを指す。第２固視標光源８４は、より一般的には、鏡面６８Ａが予め定められた向きに向けられているときにのみ点灯させることができ、前記予め定められた向きは、眼底における固視標光の照射箇所を変えるように調節可能である。
【００８８】
鏡面６８Ａの向きが第２の向きの場合、第２固視標光は、鏡面６８Ａ及び鏡面７０Ａを介して眼底に対して正対した状態で第１照射領域αの中央部に照射される。つまり、鏡面６８Ａの向きが第２の向きの場合、第２固視標光は、鏡面６８Ａで反射し、反射した第２固視標光は鏡面７０Ａでさらに反射し、鏡面７０Ａで反射した第２固視標光は眼底に対して正対した状態で第１照射領域αの中央部に到達する。
【００８９】
一例として図６に示すように、鏡面６８Ａの向きが第１の向きでも第２の向きでもない場合、すなわち、照射光が第１端部α１又は第２端部α２に照射されない場合、第１固視標光源８２及び第２固視標光源８４は消灯される。なお、図６に示す例では、信号光（走査光）が第１照射領域αの中央部に照射された状態が示されている。
【００９０】
なお、本第１例示的実施形態では、上述したように、Ｈ−ガルバノミラー６８が２５Ｈｚで回転動作するので、第１固視標光源８２の点灯及び第２固視標光源８４の点灯を残像現象により連続した点灯として被検眼３８を通して被検者に知覚させることができる。このように、本第１例示的実施形態では、ＯＣＴモードにおいて、Ｈ−ガルバノミラー６８が２５Ｈｚで回転動作する場合を例示しているが、本開示の技術はこれに限定されるものではない。例えば、Ｈ−ガルバノミラー６８の向きの変更速度は、第１固視標光源８２の点灯及び第２固視標光源８４の点灯を残像現象により連続した点灯として被検眼３８を通して被検者に知覚させる速度であればよい。ただし、Ｈ−ガルバノミラー６８の向きの変更速度に関係なく、第１及び第２の固視標光源８２及び８４は、上記のＨ−ガルバノミラー６８が第１及び第２の向きにあるときにのみ点灯されて被検者の眼底に各自の第１及び第２の固視標光をそれぞれ照射するようにＣＰＵ７４によって制御され、その結果、被検者は固視標を１つの場所に固定されたものとして知覚する。固視標は、（Ｈ−ガルバノミラー６８の向きの変更速度に応じて）点滅するか又は連続的に点灯されるように被検者に見え得るが、両方の場合とも固定されて見える。
【００９１】
次に、眼底観察装置１０Ａの本開示の技術に係る部分の作用として、ＯＣＴモードで眼底の撮像が行われる場合にプログラム８０Ａに従うことでＣＰＵ７４によって実行される固視標光制御処理について図８を参照して説明する。
【００９２】
図８に示す固視標光制御処理では、ステップ１００で、ＣＰＵ７４は、信号光の眼底での照射位置が第１端部α１か否かを判定する。ステップ１００において、信号光の眼底での照射位置が第１端部α１の場合は、判定が肯定されて、処理がステップ１０２へ移行する。ステップ１００において、信号光の眼底での照射位置が第１端部α１でない場合は、判定が否定されて、処理がステップ１０６へ移行する。
【００９３】
ステップ１０２で、ＣＰＵ７４は、第１固視標光源８２を既定時間だけ点灯させ、その後、処理がステップ１０４へ移行する。なお、本ステップ１０２において、既定時間とは、第１固視標光源８２を点灯させる最低限必要な時間を意味する。第１固視標光源８２を点灯させる最低限必要な時間は、実機による試験又はコンピュータシミュレーション等の結果に基づいて被検眼３８を通して第１固視標光源を被検者に知覚させることが可能な、予め定められた時間であればよい。
【００９４】
ステップ１０６で、ＣＰＵ７４は、信号光の眼底での照射位置が第２端部α２か否かを判定する。ステップ１０６において、信号光の眼底での照射位置が第２端部α２の場合は、判定が肯定されて、処理がステップ１０８へ移行する。ステップ１０６において、信号光の眼底での照射位置が第２端部α２でない場合は、判定が否定されて、処理がステップ１０４へ移行する。
【００９５】
ステップ１０６で、ＣＰＵ７４は、第２固視標光源８４を既定時間（例えば、第１固視標光源８２の点灯時間と同じ時間）だけ点灯させ、その後、処理がステップ１０４へ移行する。なお、本ステップ１０６において、既定時間とは、第２固視標光源８４を点灯させる最低限必要な時間を意味する。第２固視標光源８４を点灯させる最低限必要な時間は、実機を使った試験又はコンピュータシミュレーション等の結果に基づいて被検眼３８を通して第２固視標光源を被検者に知覚させることが可能な、予め定められた時間であればよい。
【００９６】
ステップ１０４で、ＣＰＵ７４は、固視標光制御処理を終了する条件を満足したか否かを判定する。なお、以下では、説明の便宜上、固視標光制御処理を終了する条件を単に「終了条件」と称する。
【００９７】
ここで、終了条件の一例としては、固視標光制御処理の制御を終了する指示又はＯＣＴモードを終了する指示が受付デバイス２２によって受け付けられたとの条件や、ＯＣＴモード下で、指定された範囲内の断層画像の取得が終了したとの条件等が挙げられる。
【００９８】
ステップ１０４において、終了条件を満足していない場合は、判定が否定されて、処理がステップ１００へ移行する。ステップ１０４において、終了条件を満足した場合は、判定が肯定されて、本固視標光制御処理を終了する。
【００９９】
以上説明したように、眼底観察装置１０Ａは、鏡面６８Ａの向きが第１の向きの場合に点灯する第１固視標光源８２と、鏡面６８Ａの向きが第２の向きの場合に点灯する第２固視標光源８４とを備えている。より詳細には、第１固視標光源８２は、鏡面６８Ａの向きが第１の向きに達したときにのみ、予め定められた時間（例えば、第１固視標光を被検者に知覚させるために第１固視標光源８２を点灯させる最低限必要な時間であり、最低限の時間は、例えば、実機による試験又はコンピュータシミュレーション等を通じて決定される）だけ点灯し、第２固視標光源８４は、鏡面６８Ａの向きが第２の向きに達したときにのみ上記予め定められた時間だけ点灯する。したがって、眼底観察装置１０Ａによれば、第１照射領域αに対応した固視標の提示を実現することができる。
【０１００】
また、眼底観察装置１０Ａでは、鏡面６８Ａの向きの変更速度が、第１固視標光源８２の点灯及び第２固視標光源８４の点灯を残像現象により連続した点灯として被検眼３８を通して被検者に知覚させる速度とされている。したがって、眼底観察装置１０Ａによれば、照射光（ここでは一例として信号光）を第１照射領域αに照射させて撮像を行う場合に、被検者に対して固視標を固定された位置で途切れることなく視認させることができる。
【０１０１】
第２例示的実施形態
上記の第１例示的実施形態では、第１固視標光源８２及び第２固視標光源８４の２つの固視標光源を用いて固視標を被検者に提示する場合を例示した。しかし、固視標光源の数は２つに限定されず、単一の固視標光源又は３つ以上の固視標光源が代替として設けられてもよい。いずれの場合も、固視標光の（１つ又は複数の）供給源は、走査光の（１つ又は複数の）供給源、すなわち、本実施形態におけるＳＬＯユニット３２及びＯＣＴユニット３４とは異なる。本第２例示的実施形態では、４つの固視標光源を用いて固視標を被検者に提示する場合について説明する。
【０１０２】
なお、本第２例示的実施形態では、上記第１例示的実施形態で説明した構成要素と同一の構成要素については同一の符号を付し、その説明を省略する。説明では、主として、上記の第１の例示的実施形態と異なる部分を取り上げる。
【０１０３】
本第２例示的実施形態に係る眼底観察装置１０Ｂ（図１参照）は、上記第１例示的実施形態で説明した眼底観察装置１０Ａに比べ、一例として図９に示すように、第３固視標光源１２０、第４固視標光源１２２、及びフレーム１２４、１２６を有する点が異なる。
【０１０４】
また、眼底観察装置１０Ｂは、眼底観察装置１０Ａに比べ、一例として図３に示すように、二次記憶部７８がプログラム８０Ａに代えてプログラム８０Ｂを記憶している点が異なる。
【０１０５】
第３固視標光源１２０は、本開示の技術に係る「第３の光源」の一例であり、第４固視標光源１２２は、本開示の技術に係る「第４の光源」の一例である。
【０１０６】
一例として図９に示すように、第３固視標光源１２０及び第４固視標光源１２２は、スリットミラー６６を挟んでＺ方向で対峙する箇所に配置されており、第４固視標光源１２２は、第３固視標光源１２０よりも鏡面７０Ａ側に配置されている。
【０１０７】
第３固視標光源１２０は、第１固視標光源８２に隣り合うように配置されており、第１固視標光源８２よりも鏡面７０ＡからＺ方向に離れた箇所に配置されている。また、第３固視標光源１２０は、フレーム１２４等によって筐体に固定されている。
【０１０８】
第４固視標光源１２２は、第２固視標光源８４に隣り合うように配置されており、第２固視標光源８４よりもＺ方向に鏡面７０Ａ寄りに配置されている。また、第４固視標光源１２２は、フレーム１２６等によって筐体に固定されている。
【０１０９】
ここで、第３固視標光源１２４及び第４固視標光源１２２はどちらも、光量、波長、及びビーム径等の光の特性が第１固視標光源８２及び第２固視標光源８４と同一の固視標光を射出するＬＥＤである。また、第３固視標光源１２４及び第４固視標光源１２２はどちらも、制御装置１３の制御下で、点灯及び消灯が選択的に行われる。
【０１１０】
本第２例示的実施形態において、固視標光は、第１固視標光と、第２固視標光と、第３固視標光源１２０から射出される第３固視標光と、第４固視標光源１２２から射出される第４固視標光とに大別される。なお、本第２例示的実施形態では、説明の便宜上、第１〜第４固視標光を区別せずに説明する場合、単に「固視標光」と称する。また、図９〜図１１において、一点鎖線で示す光路は照射光の光路であり、固視標光の光路は二点鎖線で示している。
【０１１１】
一例として図１０及び図１１に示すように、第３端部β１と第４端部β２との間で往復して信号光が照射される場合、Ｈ−ガルバノミラー６８の振動数は、例えば、２５Ｈｚ（ヘルツ）である。なお、ここで、第３端部β１とは、一例として、第２照射領域βのＸ方向における一方の最外端部を指し、第４端部β２とは、一例として、第２照射領域βのＸ方向における他方の最外端部を指す。
【０１１２】
一例として図１０に示すように、第３固視標光源１２０は、Ｈ−ガルバノミラー６８の鏡面６８Ａの向きが第３の向きの場合に第３固視標光が眼底に対して正対した状態で第１照射領域αの中央部に照射されるように配置されている。第３固視標光源１２０は、鏡面６８Ａの向きが第３の向きの場合にのみ点灯される。したがって、第３固視標光源１２０は、鏡面６８Ａの向きが第３の向きのときに点灯され、鏡面６８Ａがすべての他の向きであるときには点灯されない。なお、ここで、第３の向きとは、例として、一例として図１０に示すように第３端部β１に照射光が照射される場合の鏡面６８Ａの向きを指す。第３固視標光源１２０は、より一般的には、鏡面６８Ａが予め定められた向きに向けられているときにのみ点灯させることができ、前記予め定められた向きは、眼底における固視標光の照射箇所を変えるように調節可能である。
【０１１３】
鏡面６８Ａの向きが第３の向きの場合、第３固視標光は、鏡面６８Ａ及び鏡面７０Ａを介して眼底に対して正対した状態で第１照射領域αの中央部に照射される。つまり、鏡面６８Ａの向きが第３の向きの場合、第３固視標光は、鏡面６８Ａで反射し、反射した第３固視標光は鏡面７０Ａでさらに反射し、鏡面７０Ａで反射した第３固視標光は眼底に対して正対した状態で第１照射領域αの中央部に到達する。
【０１１４】
一例として図１１に示すように、第４固視標光源１２２は、鏡面６８Ａの向きが第４の向きの場合に第４固視標光が眼底に対して正対した状態で第１照射領域αの中央部に照射されるように配置されている。第４固視標光源１２２は、鏡面６８Ａの向きが第４の向きの場合にのみ点灯される。したがって、第４固視標光源１２２は、鏡面６８Ａの向きが第４の向きのときに点灯され、鏡面６８Ａがすべての他の向きであるときには点灯されない。なお、ここで、第４の向きとは、一例として図１１に示すように、第４端部β２に照射光が照射される場合の鏡面６８Ａの向きを指す。第４固視標光源１２２は、より一般的には、鏡面６８Ａが予め定められた向きに向けられているときにのみ点灯させることができ、前記予め定められた向きは、眼底における固視標光の照射箇所を変えるように調節可能である。
【０１１５】
鏡面６８Ａの向きが第４の向きの場合、第４固視標光は、鏡面６８Ａ及び鏡面７０Ａを介して眼底に対して正対した状態で第１照射領域αの中央部に照射される。つまり、鏡面６８Ａの向きが第４の向きの場合、第４固視標光は、鏡面６８Ａで反射し、反射した第４固視標光は鏡面７０Ａでさらに反射し、鏡面７０Ａで反射した第４固視標光は眼底に対して正対した状態で第１照射領域αの中央部に到達する。
【０１１６】
なお、鏡面６８Ａの向きが第３の向きでも第４の向きでもない場合、すなわち、照射光が第３端部β１又は第４端部β２に照射されない場合、第３固視標光源１２０及び第４固視標光源１２２は消灯される。
【０１１７】
なお、本第２例示的実施形態では、上述したように、Ｈ−ガルバノミラー６８が２５Ｈｚで回転動作するので、第３固視標光源１２０の点灯及び第４固視標光源１２２の点灯を残像現象により連続した点灯として被検眼３８を通して被検者に知覚させることができる。本第２例示的実施形態では、ＯＣＴモードにおいて、Ｈ−ガルバノミラー６８が２５Ｈｚで回転動作する場合を例示しているが、本開示の技術はこれに限定されるものではない。例えば、Ｈ−ガルバノミラー６８の向きの変更速度は、第３固視標光源１２０の点灯及び第４固視標光源１２２の点灯を残像現象により連続した点灯として被検眼３８を通して被検者に知覚させる速度であればよい。ただし、Ｈ−ガルバノミラー６８の向きの変更速度に関係なく、第３及び第４の固視標光源１２０及び１２２は、上記のＨ−ガルバノミラー６８が第３及び第４の向きにあるときにのみ点灯されて被検者の網膜に各自の第３及び第４の固視標光を照射するようにＣＰＵ７４によって制御され、その結果、被検者は固視標を１つの場所に固定されたものとして知覚する。
【０１１８】
次に、眼底観察装置１０Ｂの本開示の技術に係る部分の作用として、ＯＣＴモードで眼底の撮像が行われる場合にプログラム８０Ｂに従うことでＣＰＵ７４によって実行される固視標光制御処理について図１２を参照して説明する。
【０１１９】
図１２に示す固視標光制御処理では、ステップ１５０で、ＣＰＵ７４は、信号光の眼底での照射位置が第１端部α１か否かを判定する。ステップ１５０において、信号光の眼底での照射位置が第１端部α１の場合は、判定が肯定されて、処理がステップ１５２へ移行する。ステップ１５０において、信号光の眼底での照射位置が第１端部α１でない場合は、判定が否定されて、処理がステップ１５６へ移行する。
【０１２０】
ステップ１５２で、ＣＰＵ７４は、第１固視標光源８２を既定時間（例えば、上記第１例示的実施形態で説明した第１固視標光源８２と同一の点灯時間）だけ点灯させ、その後、処理がステップ１５４へ移行する。
【０１２１】
ステップ１５６で、ＣＰＵ７４は、信号光の眼底での照射位置が第２端部α２か否かを判定する。ステップ１５６において、信号光の眼底での照射位置が第２端部α２の場合は、判定が肯定されて、処理がステップ１５８へ移行する。ステップ１５６において、信号光の眼底での照射位置が第２端部α２でない場合は、判定が否定されて、処理がステップ１６０へ移行する。
【０１２２】
ステップ１５８で、ＣＰＵ７４は、第２固視標光源８４を既定時間（例えば、第１固視標光源８２と同じ点灯時間）だけ点灯させ、その後、処理がステップ１５４へ移行する。
【０１２３】
ステップ１６０で、ＣＰＵ７４は、信号光の眼底での照射位置が第３端部β１か否かを判定する。ステップ１６０において、信号光の眼底での照射位置が第３端部β１の場合は、判定が肯定されて、処理がステップ１６２へ移行する。ステップ１６０において、信号光の眼底での照射位置が第３端部β１でない場合は、判定が否定されて、処理がステップ１６４へ移行する。
【０１２４】
ステップ１６２で、ＣＰＵ７４は、第３固視標光源１２０を既定時間（例えば、第１固視標光源８２と同じ点灯時間）だけ点灯させ、その後、処理がステップ１５４へ移行する。
【０１２５】
ステップ１６４で、ＣＰＵ７４は、信号光の眼底での照射位置が第４端部β２か否かを判定する。ステップ１６４において、信号光の眼底での照射位置が第４端部β２の場合は、判定が肯定されて、処理がステップ１６６へ移行する。ステップ１６４において、信号光の眼底での照射位置が第４端部β２でない場合は、判定が否定されて、処理がステップ１５０へ移行する。
【０１２６】
ステップ１６６で、ＣＰＵ７４は、第４固視標光源１２２を既定時間（例えば、第１固視標光源８２と同じ点灯時間）だけ点灯させ、その後、処理がステップ１５４へ移行する。
【０１２７】
ステップ１５４で、ＣＰＵ７４は、終了条件を満足したか否かを判定する。ステップ１５４において、終了条件を満足していない場合は、判定が否定されて、処理がステップ１５０へ移行する。ステップ１５４において、終了条件を満足した場合は、判定が肯定されて、本固視標光制御処理を終了する。
【０１２８】
以上説明したように、眼底観察装置１０Ｂは、鏡面６８Ａの向きが第３の向きの場合に点灯する第３固視標光源１２０と、鏡面６８Ａの向きが第４の向きの場合に点灯する第４固視標光源１２２とを備えている。したがって、眼底観察装置１０Ｂによれば、第２照射領域βに対応した固視標の提示を実現することができる。
【０１２９】
また、眼底観察装置１０Ｂでは、鏡面６８Ａの向きの変更速度が、第３固視標光源１２０の点灯及び第４固視標光源１２２の点灯を残像現象により連続した点灯として被検眼３８を通して被検者に知覚させる速度とされている。したがって、眼底観察装置１０Ｂによれば、照射光（ここでは一例として信号光）を第２照射領域βに照射させて撮像を行う場合に、被検者に対して固視標を途切れることなく視認させることができる。
【０１３０】
第３例示的実施形態
上記の第２例示的実施形態では、撮像エリアを第１照射領域αから第２照射領域βに拡張した場合の被検者への固視標の提示を実現すべく、４つの光源を用いた。しかし、網膜の周辺領域を撮像する際に視線の固定を維持するために、さらなる固視標光源を追加することは、眼底観察装置内の空間の制約から実際的でない場合もある。そのような場合に有用であり得る、３つの光源を用いて被検者へ固視標を表示する第３の例示的実施形態について以下説明する。
【０１３１】
なお、本第３例示的実施形態では、上記第１及び第２例示的実施形態で説明した構成要素と同一の構成要素については同一の符号を付し、その説明を省略する。説明では、主に上記の各例示的実施形態と異なる部分を取り上げる。
【０１３２】
本第３例示的実施形態に係る眼底観察装置１０Ｃ（図１参照）は、上記第２例示的実施形態で説明した眼底観察装置１０Ｂに比べ、一例として図１３に示すように、第４固視標光源１２２、及びフレーム１２４、１２６を含まない点が異なる。
【０１３３】
また、眼底観察装置１０Ｃは、眼底観察装置１０Ｂに比べ、一例として図１３に示すように、平面ミラー１８２を有する点、及び第３固視標光源１２０に代えて第３固視標光源１８０を有する点が異なる。
【０１３４】
また、眼底観察装置１０Ｃは、本実施形態のように、眼底観察装置１０Ｂに比べ、一例として図１４〜図１６に示すように、リンク機構１８１及び駆動源１８６を含んでもよい点が異なる。
【０１３５】
さらに、眼底観察装置１０Ｃは、眼底観察装置１０Ｂに比べ、一例として図３に示すように、二次記憶部７８がプログラム８０Ｂに代えてプログラム８０Ｃを記憶している点が異なる。
【０１３６】
第３固視標光源１８０は、本開示の技術に係る「光源」の一例である。第３固視標光源１８０は、光量、波長、及びビーム径等の光の特性が第１固視標光源８２及び第２固視標光源８４と同一の固視標光を射出するＬＥＤである。第３固視標光源１８０は、制御装置１３の制御下で、点灯及び消灯が選択的に行われる。
【０１３７】
本第３例示的実施形態において、固視標光は、第１固視標光と、第２固視標光と、第３固視標光源１８０から射出される第３固視標光とに大別される。なお、本第３例示的実施形態では、説明の便宜上、第１〜第３固視標光を区別せずに説明する場合、単に「固視標光」と称する。また、図１３〜図１６において、一点鎖線で示す光路は照射光の光路であり、固視標光の光路は二点鎖線で示している。
【０１３８】
一例として図１３に示すように、第３固視標光源１８０は、楕円面鏡７０の鏡面７０Ａにおいて、照射（走査）光の光路から外れた位置に配置され、鏡面７０Ａに固定されている。特に、第３固視標光源１８０からの第３固視標光の光路は、鏡面６８Ａを経由して被検眼３８の眼底まで通るものではない。
【０１３９】
一例として図１４〜図１６に示すように、眼底観察装置１０Ｃは、本実施形態のように、本開示の技術に係る「移動機構」の一例であるリンク機構１８１を含むことができる。また、眼底観察装置１０Ｃは、制御装置１３の制御下で動力を生成して出力する駆動源１８６を含んでもよい。なお、本第３例示的実施形態では、駆動源１８６の一例としてソレノイドを採用しているが、本開示の技術はこれに限定されるものではく、例えば、ステッピングモータ等の他の駆動源でも代替可能である。
【０１４０】
リンク機構１８１は、動力伝達アーム１８４及び回転部材１８３を含む。一例として図１５及び図１６に示すように、回転部材１８３の基端部は、回転軸Ｐによって動力伝達アーム１８４の先端部に軸支されており、回転部材１８３の先端には、平面ミラー１８２が固定されている。
【０１４１】
動力伝達アーム１８４の基端部は駆動源１８６に接続されており、動力伝達アーム１８４は、駆動源１８６によって生成された動力を回転部材１８３に伝達することで、平面ミラー１８２の鏡面１８２Ａを第１の位置と第２の位置との間で移動させる。なお、鏡面１８２Ａは、本開示の技術に係る「第２反射面」の一例である。ここでは、一例として、平面状に形成された鏡面１８２Ａを有する平面ミラー１８２を例示しているが、本発明はこれに限定されるものではない。例えば、平面ミラー１８２に代えて、固視標光を眼底の中央部に正対した状態で照射可能に形成された凸面状又は凹面状等の鏡面を有するミラーであってもよい。
【０１４２】
なお、本第３例示的実施形態において、第１の位置とは、鏡面６８Ａの向きが上記第２例示的実施形態で説明した第３の向き又は第４の向きの場合に、鏡面１８２Ａが第３固視標光を反射し、反射した第３固視標光を鏡面７０Ａを介して眼底に正対した状態で照射させる位置を指す。第２の位置とは、第１照射領域αに照射光が照射される場合の照射光の光路から外れた位置を指す。
【０１４３】
本第３例示的実施形態では、駆動源１８６としてソレノイドが採用されているので、ソレノイドの鉄芯の直進力をリンク機構１８１で回転力に変換することで鏡面１８２Ａを第１の位置と第２の位置との間で移動させる。
【０１４４】
一例として図１４に示すように、第３固視標光源１８０は、鏡面６８Ａの向きが第３の向きの場合に第３固視標光が眼底に対して正対した状態で第１照射領域αの中央部に照射されるように配置されている。
【０１４５】
鏡面６８Ａの向きが第３の向きの場合、第３固視標光は、鏡面６８Ａ及び鏡面７０Ａを介して眼底に対して正対した状態で第１照射領域αの中央部に照射される。つまり、鏡面６８Ａの向きが第３の向きの場合、第３固視標光は鏡面１８２Ａで反射し、反射した第３固視標光は鏡面７０Ａでさらに反射し、鏡面７０Ａで反射した第３固視標光は眼底に対して正対した状態で第１照射領域αの中央部に到達する。このように、第３固視標光は鏡面６８Ａで反射しない。
【０１４６】
一例として図１５に示すように、第３固視標光源１８０は、鏡面６８Ａの向きが上記第２例示的実施形態で説明した第４の向きの場合に第４固視標光が眼底に対して正対した状態で第１照射領域αの中央部に照射されるように配置されている。
【０１４７】
鏡面６８Ａの向きが第４の向きの場合、第４固視標光は、鏡面１８２Ａ及び鏡面７０Ａを介して眼底に対して正対した状態で第１照射領域αの中央部に照射される。つまり、鏡面６８Ａの向きが第４の向きの場合、第４固視標光は、鏡面１８２Ａで反射し、反射した第４固視標光は鏡面７０Ａでさらに反射し、鏡面７０Ａで反射した第４固視標光は、眼底に対して正対した状態で第１照射領域αの中央部に到達する。このように、第４固視標光は鏡面６８Ａで反射しない。
【０１４８】
第３固視標光源１８０は、鏡面６８Ａの向きが第３の向き又は第４の向きの場合にのみ点灯される。
【０１４９】
一例として図１６に示すように、鏡面６８Ａの向きが第３の向きでも第４の向きでもない場合、すなわち、例えば、照射光が第３端部β１又は第４端部β２に照射されない場合、鏡面１８２Ａは、第２の位置から退避した状態となり、第３固視標光源１８０は消灯される。
【０１５０】
次に、眼底観察装置１０Ｃの本開示の技術に係る部分の作用として、ＯＣＴモードで眼底の撮像が行われる場合にＣＰＵ７４がプログラム８０Ｃに従うことでＣＰＵ７４によって実行される固視標光制御処理について図１７を参照して説明する。
【０１５１】
図１７に示す固視標光制御処理では、先ず、ステップ２００で、ＣＰＵ７４は、Ｈ−ガルバノミラー６８の位置が第２照射範囲対応位置か否かを判定する。ここで、第２照射範囲対応位置とは、信号光が第２照射範囲βに照射される場合のＨ−ガルバノミラー６８の位置を指す。
【０１５２】
ステップ２００において、Ｈ−ガルバノミラー６８の位置が第２照射範囲対応位置の場合は、判定が肯定されて、処理がステップ２０２へ移行する。ステップ２００において、Ｈ−ガルバノミラー６８の位置が第２照射範囲対応位置でない場合は、判定が否定されて、処理がステップ２１４へ移行する。
【０１５３】
ステップ２０２で、ＣＰＵ７４は、平面ミラー１８２の鏡面１８２Ａの位置が第２の位置か否かを判定する。ステップ２０２において、平面ミラー１８２の鏡面１８２Ａの位置が第２の位置の場合は、判定が肯定されて、処理がステップ２０４へ移行する。ステップ２０２において、平面ミラー１８２の鏡面１８２Ａの位置が第２の位置でない場合は、判定が否定されて、処理がステップ２０８へ移行する。
【０１５４】
ステップ２０４で、ＣＰＵ７４は、駆動源１８６を制御することで、平面ミラー１８２の鏡面１８２Ａを第１の位置に移動させ、その後、処理がステップ２０６へ移行する。
【０１５５】
ステップ２０６で、ＣＰＵ７４は、第３固視標光源１８０を既定時間（例えば、上記の第１例示的実施形態で説明した第１固視標光源８２と同一の点灯時間）だけ点灯させ、その後、処理がステップ２０８へ移行する。
【０１５６】
ステップ２０８で、ＣＰＵ７４は、既定時間内に信号光が第１照射領域α内に照射されるか否かを判定する。なお、本ステップ２０８での「既定時間」とは、平面ミラー１８２の鏡面１８２Ａを第１の位置から第２の位置に退避させる迄に要する時間として実機による試験又はコンピュータシミュレーション等の結果から予め定められた時間を指す。
【０１５７】
ステップ２０８において、既定時間内に信号光が第１照射領域α内に照射される場合は、判定が肯定されて、処理がステップ２１０へ移行する。ステップ２０８において、既定時間内に信号光が第１照射領域α内に照射されない場合は、判定が否定されて、処理がステップ２１２へ移行する。
【０１５８】
ステップ２１０で、ＣＰＵ７４は、駆動源１８６を制御することで、平面ミラー１８２の鏡面１８２Ａを第２の位置に退避させ、その後、処理がステップ２１２へ移行する。
【０１５９】
ステップ２１４で、ＣＰＵ７４は、信号光の眼底での照射位置が第１端部α１か否かを判定する。ステップ２１４において、信号光の眼底での照射位置が第１端部α１の場合は、判定が肯定されて、処理がステップ２１６へ移行する。ステップ２１４において、信号光の眼底での照射位置が第１端部α１でない場合は、判定が否定されて、処理がステップ２１８へ移行する。
【０１６０】
ステップ２１６で、ＣＰＵ７４は、第１固視標光源８２を既定時間（例えば、第３固視標光源１８０と同じ点灯時間）だけ点灯させ、その後、処理がステップ２１２へ移行する。
【０１６１】
ステップ２１８で、ＣＰＵ７４は、信号光の眼底での照射位置が第２端部α２か否かを判定する。ステップ２１８において、信号光の眼底での照射位置が第２端部α２の場合は、判定が肯定されて、処理がステップ２２０へ移行する。ステップ２１８において、信号光の眼底での照射位置が第２端部α２でない場合は、判定が否定されて、処理がステップ２１２へ移行する。
【０１６２】
ステップ２２０で、ＣＰＵ７４は、第２固視標光源８４を既定時間（例えば、第３固視標光源１８０と同じ点灯時間）だけ点灯させ、その後、処理がステップ２１２へ移行する。
【０１６３】
ステップ２１２で、ＣＰＵ７４は、終了条件を満足したか否かを判定する。ステップ２１２において、終了条件を満足していない場合は、判定が否定されて、処理がステップ２００へ移行する。ステップ２１２において、終了条件を満足した場合は、判定が肯定されて、本固視標光制御処理を終了する。
【０１６４】
以上説明したように、眼底観察装置１０Ｃでは、鏡面６８Ａの向きが第３の向き又は第４の向きの場合に鏡面１８２Ａが第１の位置に配置され、第３固視標光を鏡面１８２Ａで反射させて眼底の中心部に照射させている。また、眼底観察装置１０Ｃは、鏡面６８Ａの向きが第３の向き又は第４の向きでない場合に鏡面１８２Ａを第２の位置に退避させる。したがって、眼底観察措置１０Ｃによれば、第２照射領域βに対応した固視標の提示を実現することができる。
【０１６５】
制御装置１３は、すべての走査視野に対して（好ましくは中央の）視線固定を提供するために、眼底観察装置１０Ｃによって眼底のどの部分が撮像されるのかに応じて、光源８２、８４、及び１８０のうち１つの光源を選択するように構成されてもよい。より詳細には、制御装置１３は、例えば、眼底観察装置１０Ｃで眼底を撮像する前に被検眼３８の視線を固定するために、先ずは静的固定モードで動作して患者アライメントモジュール（ＰＡＭ）を制御することができる。制御装置１３は次いで、眼底観察装置１０Ｃによって眼底が撮像される間、動的固定モードでの動作に切り替わり、眼底の中央領域又は周辺領域の撮像中に（中央の）視線固定を提供するために固視標光源８２、８４、及び１８０の少なくとも１つを選択し、選択された（１つ又は複数の）光源による固視標光の照射を制御し、（ｉ）鏡面６８Ａの向き、（ｉｉ）走査中に鏡面６８Ａの向きが変化する範囲、（ｉｉｉ）鏡面６８Ａの向きの変更速度、のうち少なくとも１つを示す情報に基づいて、選択された光源によって照射された固視標光が被検眼３８の視線を固定するための予め定められた光路を辿るように、移動機構による鏡面１８２Ａの位置決めを制御する処理を行うことができる。
【０１６６】
制御装置１３は、固視標光源を選択し、鏡面１８２Ａの位置を設定するために、本明細書に記載されるような「固定制限マップ」を使用してもよい。固定制限マップは、Ｈ−ガルバノミラーの向きが範囲とする２次元空間内の領域（本明細書では「走査オフセット」とも呼ぶ）を第１の変数として定義し、走査中に実現されるＨ−ガルバノミラー６８の向きの範囲（本明細書では「走査幅」とも呼ぶ）を第２の変数として定義し、各領域は、その領域を範囲とする走査オフセット及び走査幅の範囲で使用するのに適した固視標光源のうちの１つ又は複数に関連付けられる。例えば、第２の実施形態の４つの固視標光源２８、２８、１２０、及び１２２を本実施形態の固視標光源１８０と組み合わせる実施形態では、制御装置１３は、図１８に示されるような記憶された固定制限マップを使用して、視線固定のための固視標光源を選択することができる。固定制限マップは、固視標光源からの固定光が、被検眼の視線を固定するための予め定められた個々の光路を辿ることを可能にするＨ−ガルバノミラー６８の個々の向きを求めることによって、且つこの情報を使用して、走査中に実現されるＨ−ガルバノミラーの向き（走査オフセット）とＨ−ガルバノミラー６８の向きの範囲（走査幅）との各検討される組み合わせに対して、（１つ又は複数の）固視標光源のうちどれを使用できるかを決定することによって得られる。図１８に示す例示的固定制限マップは、固視標光源８２、８４、１２０、及び１２２のうちの１つ又は複数を使用する中央固定を使用できる領域（図１８では網がけされている）と、平面ミラー１８２を第１の位置にして固視標光源１８０を使用する周辺固定を使用できる領域（図１８では網がけしていない）と、固視標光源１８０及び第１の位置にある平面ミラー１８２との組み合わせで固視標光源８２、８４、１２０、及び１２２のうちの２つ以上を使用できる領域（図１８では網がけしていない部分と破線との間に示している）と、を有する。固定制限マップに従って２つ以上の固視標光源を使用した視線固定が可能である場合、それらの固視標光源のうちの１つ又は複数を、予め定められた階層（換言すると、割り当てられた優先順位）に応じて選択することができる。各固視標光源８２、８４、１２０、１２２、及び１８０のオン期間も決定することができ、最小の「オン」期間は、固視標の明るさによって決定され、最大の「オン」期間は、Ｈ−ガルバノミラー６８の移動によるボケ効果によって決定される。
【０１６７】
制御装置１３は、記憶された固定制限マップを使用して、走査パラメータ（走査オフセット及び走査幅）が中央固定及び／又は周辺固定の条件を満たすかどうかを判定することができる。周辺固定の条件が満たされる場合、制御装置１３は、移動機構を制御して鏡面１８２Ａを第１の位置に設定し、第３固視標光源１８０をオンにすることができる。一方、固定制限マップ及び予め定められた階層を使用して固視標光源８２、８４、１２０、及び１２２のうち１つを使用した中央固定が選択される場合は、上記のように、選択された固視標光源が、制御装置１３によって制御されて、該当するＨ−ガルバノミラーの向きでオンになる。視線固定に使用されている固視標光源は、被検眼３８の撮像中に走査箇所が変わるのに伴って動的に変更することができる。
【０１６８】
なお、上記第３例示的実施形態では、駆動源１８６で生成された駆動力をリンク機構１８１に伝達することで鏡面１８２Ａを第１の位置と第２の位置との間で移動させるようにしたが、本開示の技術はこれに限定されるものではない。例えば、図２１に示すように、駆動源１８６に代えて手動式のレバー２７０を採用してもよい。
【０１６９】
この場合、手動式のレバー２７０の一端部は、リンク機構１８１の動力伝達アーム１８４の基端部に固定されており、レバー２７０を破線矢印方向に移動させることで回転部材１８３を回転させ、鏡面１８２Ａを第１の位置と第２の位置との間で移動させる。そして、鏡面１８２Ａを第１の位置に配置した状態で第３固視標光源１８０を点灯させる。なお、鏡面１８２Ａが第１の位置に移動した場合に平面ミラー１８２がセンサ（図示省略）によって検知され、平面ミラー１８２がセンサによって検知された場合に制御装置１３の制御下で第３固視標光源１８０が点灯されるようにすればよい。また、受付デバイス２２によって受け付けられた特定の指示に応じて第３固視標光源１８０が点灯されるようにしてもよい。一例として図２１に示す構成によれば、ＳＬＯモードで眼底を撮像する場合、撮像に先立って被検者に第３固視標光を視認させることで、被検者の視線を固定させることが可能となる。
【０１７０】
第４例示的実施形態
上記第３例示的実施形態では、第３固視標光源１８０の位置が固定されている場合について説明したが、本第４例示的実施形態では、可動式の第３固視標光源２３２（図１９参照）を適用した場合について説明する。
【０１７１】
なお、本第４例示的実施形態では、上記第１〜第３例示的実施形態で説明した構成要素と同一の構成要素については同一の符号を付し、その説明を省略する。説明では、主に上記の各例示的実施形態と異なる部分を取り上げる。
【０１７２】
本第４例示的実施形態に係る眼底観察装置１０Ｄ（図１参照）は、上記第３例示的実施形態に係る眼底観察装置１０Ｃに比べ、一例として図１９に示すように、平面ミラー１８２に代えて台座２３０を有する点が異なる。
【０１７３】
また、眼底観察装置１０Ｄは、眼底観察装置１０Ｃに比べ、第３固視標光源１８０に代えて第３固視標光源２３２を有する点が異なる。
【０１７４】
また、眼底観察装置１０Ｄは、眼底観察装置１０Ｃに比べ、一例として図３に示すように、二次記憶部７８がプログラム８０Ｃに代えてプログラム８０Ｄを有する点が異なる。
【０１７５】
一例として図１９に示すように、眼底観察装置１０Ｄは、本実施形態のように、回転部材１８３の先端に固定された台座２３０を備えることができ、台座２３０の中央部には第３固視標光源２３２を固定することができる。
【０１７６】
第３固視標光源２３２の固視標光の特性は、上記第３例示的実施形態で説明した第３固視標光源１８０の固視標光の特性と同一であり、第３固視標光源２３２は、制御装置１３の制御下で、点灯及び消灯が選択的に行われる。
【０１７７】
本第４例示的実施形態において、固視標光は、第１固視標光と、第２固視標光と、第３固視標光源２３２から射出される第３固視標光とに大別される。なお、本第４例示的実施形態では、説明の便宜上、第１〜第３固視標光を区別せずに説明する場合、単に「固視標光」と称する。また、図１９において、一点鎖線で示す光路は照射光の光路であり、固視標光の光路は二点鎖線で示している。
【０１７８】
動力伝達アーム１８４は、駆動源１８６によって生成された動力を回転部材１８３に伝達することで、第３固視標光源２３２を第１の位置（例えば、図１９に示す位置）と第２の位置との間で移動させることができる。ここで、第１の位置とは、鏡面６８Ａの向きが上記第２例示的実施形態で説明した第３の向き又は第４の向きの場合に第３固視標光源２３２から射出した第３固視標光を鏡面７０Ａが反射し、反射した第３固視標光を眼底に正対した状態で照射させる位置を指す。第２の位置とは、第１照射領域αに照射光が照射される場合の照射光の光路から外れた位置を指す。
【０１７９】
鏡面６８Ａの向きが第３の向きの場合、第３固視標光源２３２は第１の位置に配置され、第３固視標光源２３２からの第３固視標光は、鏡面７０Ａで反射し、鏡面７０Ａで反射した第３固視標光は眼底に対して正対した状態で第１照射領域αの中央部に到達する。
【０１８０】
鏡面６８Ａの向きが第４の向きの場合、第３固視標光源２３２は第１の位置に配置され、第３固視標光源２３２からの第３固視標光は、鏡面７０Ａで反射し、鏡面７０Ａで反射した第３固視標光は眼底に対して正対した状態で第１照射領域αの中央部に到達する。
【０１８１】
第３固視標光源２３２は、鏡面６８Ａの向きが第３の向き又は第４の向きの場合にのみ点灯される。
【０１８２】
なお、鏡面６８Ａの向きが第３の向き又は第４の向きでない場合、すなわち、例えば、照射光が第３端部β１又は第４端部β２に照射されない場合、第３固視標光源２３２は、第２の位置から退避した状態となり、第３固視標光源２３２は消灯される。
【０１８３】
次に、眼底観察装置１０Ｄの本開示の技術に係る部分の作用として、ＯＣＴモードで眼底の撮像が行われる場合にＣＰＵ７４がプログラム８０Ｄに従うことでＣＰＵ７４によって実行される固視標光制御処理について図２０を参照して説明する。なお、図１７に示すフローチャートのステップと同一のステップについては同一の参照符号を付し、その説明を省略する。
【０１８４】
図２９に示す固視標光制御処理は、図１７に示す固視標光制御処理に比べ、ステップ２０２〜２０６に代えてステップ２５０〜２５４を有する点、及びステップ２１０に代えてステップ２５６を有する点が異なる。
【０１８５】
ステップ２５０で、ＣＰＵ７４は、第３固視標光源２３２の位置が第２の位置か否かを判定する。ステップ２５０において、第３固視標光源２３２の位置が第２の位置の場合は、判定が肯定されて、処理がステップ２５２へ移行する。ステップ２５０において、第３固視標光源２３２の位置が第２の位置でない場合は、判定が否定されて、処理がステップ２０８へ移行する。
【０１８６】
ステップ２５２で、ＣＰＵ７４は、駆動源１８６を制御することで、第３固視標光源２３２を第１の位置に移動させ、その後、処理がステップ２５４へ移行する。
【０１８７】
ステップ２５４で、ＣＰＵ７４は、第３固視標光源２３２を既定時間（例えば、上記第１例示的実施形態で説明した第１固視標光源８２と同一の点灯時間）だけ点灯させ、その後、処理がステップ２０８へ移行する。
【０１８８】
ステップ２５６で、ＣＰＵ７４は、駆動源１８６を制御することで、第３固視標光源２３２を第２の位置に退避させ、その後、処理がステップ２１２へ移行する。
【０１８９】
以上説明したように、眼底観察装置１０Ｄでは、鏡面６８Ａの向きが第３の向きの場合又は第４の向きの場合に第３固視標光源２３２が第１の位置に配置され、第３固視標光を鏡面７０Ａで反射させて眼底の中心部に照射させている。また、眼底観察装置１０Ｄは、鏡面６８Ａの向きが第３の向き又は第４の向きでない場合に第３固視標光源２３２を第２の位置に退避させる。したがって、眼底観察措置１０Ｄによれば、眼底の周辺部である第２照射領域βに対応した固視標の提示を実現することができる。
【０１９０】
上記の第３の実施形態と同様に、制御装置１３は、図１８に示す種類の固定制限マップを使用して、光源８２、８４、及び２３２のうちから光源を選択し、選択された光源による固視標光の照射を制御し、（ｉ）鏡面６８Ａの向き、（ｉｉ）鏡面６８Ａの向きの範囲、（ｉｉｉ）鏡面６８Ａの向きの変更速度、のうちの少なくとも１つを示す情報に基づいて、選択された光源によって照射された固視標光が被検眼３８の視線を固定するための予め定められた光路を辿るように、移動機構による第３固視標光源２３２の位置決めを制御するように構成されてもよい。
【０１９１】
なお、上記の第４例示的実施形態では、駆動源１８６で生成された駆動力をリンク機構１８１に伝達することで第３固視標光源２３２を第１の位置と第２の位置との間で移動させるようにしたが、本開示の技術はこれに限定されるものではない。例えば、図２２に示すように、駆動源１８６に代えて手動式のレバー２７０を採用してもよい。
【０１９２】
この場合、手動式のレバー２７０の一端部は、リンク機構１８１の動力伝達アーム１８４の基端部に固定されており、レバー２７０を破線矢印方向に移動させることで回転部材１８３を回転させ、第３固視標光源２３２を第１の位置と第２の位置との間で移動させる。そして、第３固視標光源２３２を第１の位置に配置した状態で第３固視標光源２３２を点灯させる。なお、第３固視標光源２３２が第１の位置に移動した場合、第３固視標光源２３２又は台座２３０がセンサ（図示省略）によって検知され、第３固視標光源２３２又は台座２３０がセンサによって検知された場合に制御装置１３の制御下で第３固視標光源２３２が点灯されるようにすればよい。また、受付デバイス２２によって受け付けられた特定の指示に応じて第３固視標光源２３２が点灯されるようにしてもよい。一例として図２２に示す構成によれば、ＳＬＯモードで眼底を撮像する場合、撮像に先立って被検者に第３固視標光を視認させることで、被検者の視線を固定させることが可能となる。
【０１９３】
上記各例示的実施形態では、スリットミラー６６及び楕円面鏡７０による一対の凹面鏡を例示したが、本発明はこれに限定されるものではない。例えば、スリットミラー６６に代えて、傾斜球面鏡、非球面鏡、一対のパラボラ鏡、一対の放物面鏡、若しくはレンズ系、又はこれらを適宜に組み合わせた光学系を適用してもよい。
【０１９４】
上記各例示的実施形態ではプログラム８０Ａ、８０Ｂ、８０Ｃ、８０Ｄ（以下、単に「プログラム８０Ａ等」と称する）を二次記憶部７８から読み出す場合を例示したが、必ずしも最初から二次記憶部７８に記憶させておく必要はない。例えば、図２３に示すように、ＳＳＤ（Ｓｏｌｉｄ  Ｓｔａｔｅ  Ｄｒｉｖｅ）ＵＳＢ（Ｕｎｉｖｅｒｓａｌ  Ｓｅｒｉａｌ  Ｂｕｓ）メモリ、又はＣＤ−ＲＯＭ（Ｃｏｍｐａｃｔ  Ｄｉｓｋ  Ｒｅａｄ  Ｏｎｌｙ  Ｍｅｍｏｒｙ）などの任意の可搬型の記憶媒体３００に先ずはプログラム８０Ａ等を記憶させておいてもよい。この場合、記憶媒体３００のプログラム８０Ａ等が眼底観察装置１０Ａ（１０Ｂ、１０Ｃ、１０Ｄ）（以下、「眼底観察装置１０Ａ等」と称する）にインストールされ、インストールされたプログラムがＣＰＵ７４によって実行される。
【０１９５】
通信網（図示省略）を介して眼底観察装置１０Ａ等に接続される他のコンピュータ又はサーバ装置等の記憶部にプログラム８０Ａ等を記憶させておき、プログラム８０Ａ等が眼底観察装置１０Ａ等の要求に応じてダウンロードされるようにしてもよい。この場合、ダウンロードされたプログラム８０Ａ等がＣＰＵ７４によって実行される。
【０１９６】
また、上記各例示的実施形態で説明した固視標光制御処理はあくまでも一例である。したがって、本開示の主旨を逸脱しない範囲内において不要なステップを削除したり、新たなステップを追加したり、処理順序を入れ替えたりしてもよいことは言うまでもない。また、固視標光制御処理に含まれる各処理は、ＦＰＧＡ又はＡＳＩＣ等のハードウェア構成のみで実現されてもよいし、コンピュータを利用したソフトウェア構成とハードウェア構成との組み合わせで実現されてもよい。
【０１９７】
また、上記各例示的実施形態では、Ｙ方向の走査を行うポリゴンミラー４４及びＹ方向の走査を行うＶ−ガルバノミラー６０を、ダイクロイックミラー６４の光入射側に配置する例について説明したが、ダイクロイックミラー６４を光軸方向にスリットミラーの焦点から離れた位置に配置し、Ｙ方向の走査を行うポリゴンミラー４４又はＶ−ガルバノミラー６０をスリットミラーの焦点位置に配置してもよい。この場合、ポリゴンミラー４４又はＶ−ガルバノミラー６０は、ＳＬＯ画像取得時及びＯＣＴ画像取得時に共通に使用される走査光学系として機能する。
【０１９８】
また、ＳＬＯ用の光及びＯＣＴ用の光が通過する共通の光軸をダイクロイックミラー６４により生成する例について説明したが、ダイクロイックミラー６４に代えて偏光ビームスプリッタ等のビームスプリッタ、又はハーフミラーなどの光学部材を用いてもよい。
【０１９９】
上記各例示的実施形態では、図１に示すように、ポリゴンミラー４４及びＶ−ガルバノミラー６０を、ダイクロイックミラー６４の光入射側に配置し、ＳＬＯ及びＯＣＴのＸ方向の走査を共通に行うＨ−ガルバノミラー６８を、ダイクロイックミラー６４の光出射側に配置した例について説明した。図２４には、図１に示すＳＬＯユニット３２、ＯＣＴユニット３４、及び共通光学系３６に対応する構成が示されている。一例として図２４に示すように、装置本体は、ダイクロイックミラー（Ｄｉｃｈｒｏｉｃ  ｍｉｒｒｏｒ）１０６４、ＳＬＯエンジン（ｅｎｇｉｎｅ）１０３２Ａ、及びＯＣＴエンジン（ｅｎｇｉｎｅ）１０３４Ａを備えている。ダイクロイックミラー１０６４とＳＬＯエンジン１０３２Ａとの間には、走査システム（Ｓｃａｎｎｉｎｇ  ｓｙｓｔｅｍ）１０４４が配置されている。また、ダイクロイックミラー１０６４とＯＣＴエンジン１０３４Ａとの間には、走査システム１０６０が配置されている。ダイクロイックミラー１０６４と被検眼１０３８との間には、走査システム１０６８が配置されている。
【０２００】
なお、走査システム１０４４は、ポリゴンミラー４４に対応し、ＳＬＯエンジン１０３２Ａは、図１におけるＳＬＯユニット３２からポリゴンミラー４４を除いた部分である。走査システム１０６０は、Ｖ−ガルバノミラー６０に対応し、ＯＣＴエンジン１０３４Ａは、図１におけるＯＣＴユニット３４からＶ−ガルバノミラー６０を除いた部分である。走査システム１０６８は、Ｈ−ガルバノミラー６８に対応する。
【０２０１】
上記走査光学系としては、以下のように変形することができる。
【０２０２】
図２５には、走査光学系の第１の変形例が示されている。一例として図２５に示すように、ダイクロイックミラー１０６４の一方（ＳＬＯエンジン１０３２Ａ側）の光入射側に、ＳＬＯ用の二次元走査光学系１１０４を配置し、ダイクロイックミラー１０６４の他方（ＯＣＴエンジン１０３４Ａ側）の光入射側に、ＯＣＴ用の二次元走査光学系１１０２を配置する。
【０２０３】
図２６には、走査光学系の第２の変形例が示されている。一例として図２６に示すように、ダイクロイックミラー６４の光出射側に、ＳＬＯ及びＯＣＴに共通に使用される二次元走査光学系１２００を配置する。
【０２０４】
また、上記で説明したいずれの走査光学系においても、Ｘ方向とＹ方向とを入れ替えても同様の走査が行えることは言うまでもない。
【０２０５】
走査を中継する光学部材として楕円面鏡を使用する例について説明したが、放物面鏡などの他の凹面鏡を使用することができ、凹面鏡に代えてレンズ等の光学部材を使用することもできる。走査を中継する光学部材としては、複数の焦点を含む光学部材を使用することができる。この場合、光学部材、走査光学系、及び被検眼の位置関係は、以下の態様をとることができる。
【０２０６】
第１態様では、１つの焦点位置ｆ１に被検眼が配置され、他の１つの焦点位置ｆ２にＳＬＯ及びＯＣＴに共通に使用される二次元走査光学系が配置される。
【０２０７】
第２態様では、１つの焦点位置ｆ１に被検眼が配置され、他の１つの焦点位置ｆ２にＳＬＯに使用される二次元走査光学系が配置され、さらに他の１つの焦点位置ｆ３にＯＣＴに使用される二次元走査光学系が配置される。
【０２０８】
第３態様では、１つの焦点位置ｆ１に被検眼が配置され、他の１つの焦点位置ｆ２にＳＬＯ及びＯＣＴの両方に共通に使用される第１の方向に光を走査する一次元走査光学系が配置され、さらに他の１つの焦点位置ｆ３にＳＬＯに使用される第１の方向と交差する第２の方向（例えば、直交する方向）に光を走査する一次元走査光学系が配置され、さらに他の１つの焦点位置ｆ３と光学的に等価な位置にＯＣＴに使用される第２の方向に光を走査する一次元走査光学系が配置される。
【０２０９】
なお、上記の各態様では、焦点位置に代えて、焦点位置と光学的に等価な位置に被検眼及び走査光学系を配置してもよい。
【０２１０】
また、上記第２例示的実施形態では、第１固視標光源８２、第２固視標光源８４、第３固視標光源１２０、及び第４固視標光源１２２が選択的に使用される場合を例示したが、本開示の技術は、これに限定されるものではない。例えば、図２７に示すように、第１固視標光源８２及び第２固視標光源８４を設けずに、第３固視標光源１２０及び第４固視標光源１２２を設けるようにしてもよい。なお、この場合、第１照射領域α及び第２照射領域βにより規定される領域、すなわち、第３端部β１から第４端部β２までの領域が本開示の技術に係る「中央領域」に相当し、第３固視標光源１２０は、本開示の技術に係る「第１の光源」として動作し、第４固視標光源１２２は、本開示の技術に係る「第２の光源」として動作する。
【０２１１】
また、上記第３例示的実施形態では、リンク機構１８１を例示したが、本開示の技術はこれに限定されるものではなく、例えば、リンク機構１８１に代えて、第３及び第４固視標光を眼底に対して正対した状態で照射可能な第１の位置と照射光の光路から外れた第２の位置との間で鏡面１８２Ａを移動させることが可能なシフト機構を用いてもよい。シフト機構の一例としては、ソレノイド又はステッピングモータの動力を受けて直進運動する機構が挙げられる。シフト機構は、鏡面１８２ＡをＺ方向に移動させるものであってもよいし、鏡面１８２ＡをＸ方向に移動させるものであってもよいし、鏡面１８２ＡをＹ方向に移動させるものであってもよい。
【０２１２】
同様に、第４例示的実施形態についても、第３及び第４固視標光を眼底に対して正対した状態で照射可能な第１の位置と照射光の光路から外れた第２の位置との間で第３固視標光源２３２を移動させることが可能なシフト機構を用いてもよい。
【０２１３】
上記の第１の実施形態では、Ｈ−ガルバノミラー６８の鏡面６８Ａ（反射面の一例）の第１の向きは、特定方向における眼底の中央領域の一方の端部である第１端部α１に光を照射させる。しかし、第１の光源８２は、鏡面６８Ａの向きがこの特定の形になっているときに第１固視標光を照射するように構成する必要はなく、それに代えて、反射面が、眼底における固視標光の照射箇所を変えるように調節可能な事前定義された向きに向けられたときに点灯するように構成されてもよい。被検眼３８の視線方向は、このため、いくつかの異なる方向に変化させてその方向に維持することができ、そのため、異なる視線方向に関連する、被検眼の眼底の異なる領域を撮像することができる。
【０２１４】
本明細書に記載されたすべての文献、特許出願及び技術規格は、個々の文献、特許出願及び技術規格が参照により取り込まれることが具体的且つ個々に記された場合と同程度に、本明細書中に参照により取り込まれる。
【符号の説明】
【０２１５】
１０Ａ、１０Ｂ、１０Ｃ、１０Ｄ  眼底観察装置
３２  ＳＬＯユニット
３４  ＯＣＴユニット
６８Ａ、７０Ａ、１８２Ａ  鏡面
７４  ＣＰＵ
８２  第１固視標光源
８４  第２固視標光源
１２０、１８０、２３２  第３固視標光源
１２２  第４固視標光源
１８４  リンク機構
１８６  駆動源
α    第１照射領域
α１  第１端部
α２  第２端部
β    第２照射領域
β１  第３端部
β２  第４端部
【図１】
2019536499.tif 000003
【図２】
2019536499.tif 000004
【図３】
2019536499.tif 000005
【図４】
2019536499.tif 000006
【図５】
2019536499.tif 000007
【図６】
2019536499.tif 000008
【図７】
2019536499.tif 000009
【図８】
2019536499.tif 000010
【図９】
2019536499.tif 000011
【図１０】
2019536499.tif 000012
【図１１】
2019536499.tif 000013
【図１２】
2019536499.tif 000014
【図１３】
2019536499.tif 000015
【図１４】
2019536499.tif 000016
【図１５】
2019536499.tif 000017
【図１６】
2019536499.tif 000018
【図１７】
2019536499.tif 000019
【図１８】
2019536499.tif 000020
【図１９】
2019536499.tif 000021
【図２０】
2019536499.tif 000022
【図２１】
2019536499.tif 000023
【図２２】
2019536499.tif 000024
【図２３】
2019536499.tif 000025
【図２４】
2019536499.tif 000026
【図２５】
2019536499.tif 000027
【図２６】
2019536499.tif 000028
【図２７】
2019536499.tif 000029
【国際調査報告】
2019536499.tif 000030
2019536499.tif 000031
2019536499.tif 000032